(57)【特許請求の範囲】
【請求項１】
エンクロージャ（１２、１１２）であって、第１壁部（１４）、第２壁部（１６）、及び、前記エンクロージャ（１２、１１２）によって画定された布地受容スペースを含む、エンクロージャ（１２、１１２）と、
前記第１壁部（１４）に近接して配置される支持部材（２６）であって、布地片及び前記布地受容スペース内の前記布地片を支持するように構成されたハンガー（１５、１５’、１５Ａ、２０４、２０４’、３００）の１つを支持するように構成された、支持部材（２６）と、
少なくとも前記第２壁部（１６）上に配置される布地伸長システムであって、前記布地片の少なくとも第１部分（４２）に取り付けられて前記布地片に張力を付与するように構成された少なくとも第１布地把持具（３２、３２’）を含む、布地伸長システムと、を含み、
前記支持部材（２６）を前記第１壁部（１４）に向けて付勢するように構成された弾性部材（４８、６４）及び伸長可能な部材のうちの１つを含み、前記弾性部材（４８、６４）及び前記伸長可能な部材のうちの１つが、前記第１壁部（１４）に対する前記支持部材（２６）の相対運動を可能にし、前記布地片の伸長を可能にするように構成されている、布地処理システム（１０、１１０）。
【請求項２】
前記布地片の第２部分（４６）に取り付けられて前記布地片に張力を付与するように構成された、別個の第２布地把持具（３４）を含む、請求項１に記載の布地処理システム（１０、１１０）。
【請求項３】
前記支持部材（２６）が、前記第１壁部（１４）と可動式に係合され、少なくとも前記第１布地把持具（３２、３２’）が、前記第２壁部（１６）に固定式に取り付けられた、請求項１又は２に記載の布地処理システム（１０、１１０）。
【請求項４】
前記支持部材（２６）が、前記第１壁部（１４）に固定式に取り付けられ、少なくとも前記第１布地把持具（３２、３２’）が前記第２壁部（１６）と可動式に係合された、請求項１〜３のいずれか一項に記載の布地処理システム（１０、１１０）。
【請求項５】
前記支持部材（２６）が、前記第１壁部（１４）と可動式に係合され、少なくとも前記第１布地把持具（３２、３２’）が、前記第２壁部（１６）と可動式に係合された、請求項１〜４のいずれか一項に記載の布地処理システム（１０、１１０）。
【請求項６】
前記ハンガー（１５、１５’、１５Ａ、２０４、２０４’、３００）が、
その内部に画定された開口部（９４）を有するカラー（３０２）と、
前記カラー（３０２）から第１方向に延びる第１アーム（３０６）および前記カラー（３０２）から第２方向に延びる第２アーム（３０８）であって、前記布地片を支持するように構成された前記第１アーム（３０６）及び前記第２アーム（３０８）と、
前記カラー（３０２）において前記開口部（９４）と可動式に係合した第１吊り部材（３１０）と、
前記カラー（３０２）から延び、前記支持部材（２６）と係合するように構成された、別個の第２吊り部材（３１２）と、を含む、請求項１〜５のいずれか一項に記載の布地処理システム（１０、１１０）。
【請求項７】
前記エンクロージャ（１２、１１２）が、少なくとも第３壁部（１８）を含み、
前記布地伸長システムが、前記第１壁部（１４）、前記第２壁部（１６）及び前記第３壁部（１８）のうちの少なくとも１つから延びる伸長ビーム（２８）を含み、
前記布地片の第３部分が、前記伸長ビーム（２８）と係合する及び前記伸長ビーム（２８）の周りを少なくとも部分的に回る、のうちの１つとなるように構成され、
好ましくは、前記第３部分が、前記伸長ビーム（２８）と係合する及び前記伸長ビーム（２８）の周りを少なくとも部分的に回る、のうちの１つとなっている時に、前記伸長システムは、前記布地片の前記第３部分に取り付けられて前記布地片に張力を付与するように構成される少なくとも１つの第３布地把持具（８０）を含む、請求項１〜６のいずれか一項に記載の布地処理システム（１０、１１０）。
【請求項８】
重り（５６）を含む重りシステムであって、前記第１壁部（１４）に向けて前記支持部材（２６）を付勢するように構成され、前記第１壁部（１４）に対する前記支持部材（２６）の相対運動を可能にし、前記布地の伸長を可能にするように構成された、重りシステムと、
前記エンクロージャ（１２、１１２）に画定されたチャネル（６２）であって、前記重り（５６）が前記チャネル（６２）内で可動式である、チャネル（６２）と、を含む、請求項１〜７のいずれか一項に記載の布地処理システム（１０、１１０）。
【請求項９】
前記ハンガー（１５、１５’、１５Ａ、２０４、２０４’、３００）が、
前記支持部材（２６）と係合されるように構成された布地伸長装置（７８）を含み、
布地伸長装置（７８）は、
支持ビーム（２０６）と、
第１突部（２１０）及び第２突部（２１２）を含み、前記カラー（３０２）上の位置で、前記第１突部（２１０）と前記第２突部（２１２）との少なくとも部分的に中間において前記支持ビーム（２０６）と係合される、カラー（３０２）と、
前記第１突部（２１０）に可動式に取り付けられ、前記支持ビーム（２０６）の第１側部（４１８）上に少なくとも部分的に配置された、第１布地係合部分（２１４）と、
前記第２突部（２１２）に取り付けられ、前記支持ビーム（２０６）の第２側部（８４）上に少なくとも部分的に配置された、第２布地係合部分（２１６）と、
少なくとも前記第１布地係合部分（４１）に接触する係合位置と、少なくとも前記第１布地係合部分（４１）と接触しない非係合位置と、の間で移動するように構成された、解放機構（２１８）と、
前記解放機構（２１８）が前記非係合位置にある時に、前記支持ビーム（２０６）に対して少なくとも前記第１布地係合部分（４１）を移動させ、前記布地伸長装置（７８）を拡げて前記布地片に張力を付与するように構成された付勢部材（７６）と、を含む、請求項１〜８のいずれか一項に記載の布地処理システム（１０、１１０）。
【請求項１０】
少なくとも第３壁部（１８）と、
第２布地把持具（３４）と、
前記第１壁部（１４）、前記第２壁部（１６）及び前記第３壁部（１８）のうちの少なくとも１つから延びる伸長ビーム（２８、３０）と、を更に含み、
前記布地片の第２部分（４６）が、前記伸長ビーム（２８、３０）と係合する及び前記伸長ビーム（２８、３０）の周りを少なくとも部分的に回る、のうちの１つとなるように構成され、
前記第２布地把持具（３４）が、前記布地片の第３部分に取り付けられて前記布地片に張力を付与するように構成されている、請求項１に記載の布地処理システム（１０、１１０）。
【請求項１１】
請求項１〜１０のいずれか一項に記載の布地処理システム（１０、１１０）内の布地を伸長する方法であって、
その上に布地を有する布地ハンガー（１５、１５’、１５Ａ、２０４、２０４’、３００）を支持部材（２６）に取り付ける工程と、
前記布地処理システム（１０、１１０）の第１布地把持具（３２、３２’）を前記布地の一部分に取り付ける工程と、
前記布地を、前記支持部材（２６）と前記第１布地把持具（３２、３２’）との少なくとも部分的に中間で伸長する工程と、を含む、方法。
【請求項１２】
前記１〜１１のいずれか一項に記載の布地処理システム（１０、１１０）と共に使用するためのキットであって、
少なくとも１つの布地ハンガー（１５、１５’、１５Ａ、２０４、２０４’、３００）と、
布地処理溶液（４０８）の少なくとも１つの容器と、
衣類のポケット（４１４）を伸長するように構成された、少なくとも１つのテンショナー（４１２）と、を含む、キット。
【請求項１３】
前記ハンガー（１５、１５’、１５Ａ、２０４、２０４’、３００）は、前記支持部材（２６）と係合するように構成された布地伸長装置（７８）を含み、
布地伸長装置（７８）は、
支持ビーム（２０６）と、
第１突部（２１０）及び第２突部（２１２）を含み、前記支持ビーム（２０６）と係合される、カラー（２０８）と、
前記第１突部（２１０）に可動式に取り付けられ、前記支持ビーム（２０６）の第１側部（４１８）上に少なくとも部分的に配置された、第１布地係合部分（４１、２１４）と、
前記第２突部（２１２）に取り付けられ、前記支持ビーム（２０６）の第２側部（８４、４２０）上に少なくとも部分的に配置された、第２布地係合部分（４６、２１６）と、  前記支持ビーム（２０６）に対して少なくとも前記第１布地係合部分（４１、２１４）を移動させ、前記布地伸長装置（７８）を拡げて前記布地伸長装置（７８）上に配置された布地片に張力を付与するように構成された付勢部材（６６、２２４）であって、好ましくは、少なくとも前記第１布地係合部分（４１、２１４）と接触する係合位置と少なくとも前記第１布地係合部分（４１、２１４）と接触しない非係合位置との間で移動するように構成された解放機構（２１８）を含み、前記付勢部材（７６）は、前記解放機構（２１８）が前記非係合位置にある時に、前記支持ビーム（２０６）に対して少なくとも前記第１布地係合部分（２１４）を移動させるように構成され、より好ましくは、前記第２係合部分（２１６）が前記第２突部（２１２）に可動式に取り付けられ、前記解放機構（２１８）が前記係合位置にある時に前記第２布地係合部分（２１６）と接触し、前記解放機構（２１８）が前記非係合位置にある時に前記第２布地係合部分（２１６）と接触せず、前記付勢部材（７６）は、前記解放機構（２１８）が前記非係合位置にある時に、前記支持ビーム（２０６）に対して前記第２布地係合部分（２１６）を移動させ、前記布地伸長装置（７８）を拡げて前記布地片に張力を付与するように構成される、付勢部材（６６、２２４）と、を含む、請求項１に記載の布地処理システム（１０、１１０）。
【請求項１４】
前記布地ハンガー（１５、１５’、１５Ａ、２０４、２０４’、３００）は、
内部に画定された開口部（９４）を有するカラー（２０８、３０２）と、
少なくとも１つの布地を支持するように構成されたアーム（３０６、３０８）と、
前記カラー（２０８、３０２）における前記開口部（９４）と可動式に係合される第１吊り部材（３１０）と、
前記カラー（２０８、３０２）から延びる、別個の第２の吊り部材（３１２）と、を含む、請求項１に記載の布地処理システム（１０、１１０）。
【発明の詳細な説明】
【技術分野】
【０００１】
本開示は、布地処理システム及びこれを使用する方法に関する。本開示はまた、布地処理システムのためのアクセサリ及びこれを使用する方法に関する。
【背景技術】
【０００２】
布地処理システムは、様々な布地を処理し、洗浄し、及び／又はリフレッシュさせるために使用され得る。これらの布地処理システムは、一般的に２つのカテゴリーである、蒸気発生システムと、布地を水、化学溶液、又はこれらの組み合わせを用いて濡らす流体分配システムに分けることができる。両方のカテゴリーのシステムは、布地を蒸気若しくは流体を用いて濡らす又は湿らすことができ、次いで濡らした又は湿らした布地を、熱及び／若しくは循環空気に供して、布地を乾燥させ、これによって布地を処理し、洗浄し、及び／又はリフレッシュさせることができる。
【発明の概要】
【発明が解決しようとする課題】
【０００３】
時間効率が良く、より少ないスペースを使用し、かつユーザーフレンドリーである布地処理システムに関する必要性が残っている。よって、この技術を更に開発することは有利なことである。
【課題を解決するための手段】
【０００４】
１つの非限定的な実施形態では、布地処理システムは、第１壁部、第２壁部、及びエンクロージャによって画定された布地受容スペースを含む、エンクロージャを含む。布地処理システムはまた、第１壁部に向けて配置される支持部材を含む。支持部材は、布地受容スペース内の布地片を支持するように構成されたハンガーのうちの１つを支持するように構成される。布地処理システムはまた、少なくとも第２壁に配置される布地伸長システムを含む。布地伸長システムは、布地片の少なくとも第１部分に取り付けられて、布地片に張力を付与するように構成された少なくとも第１布地把持具を含む。
【０００５】
他の非限定的な実施形態では、布地処理システムは、第１壁部、第２壁部、及びエンクロージャによって画定された布地受容スペースを含む、エンクロージャを含む。布地処理システムは、第１壁部に向けて配置される少なくとも１つの把持具を更に含む。少なくとも１つの把持具は、布地受容スペース内の布地片を支持するように構成される。布地処理システムは、第２壁部に向けて配置される布地伸長システムを更に含む。布地伸長システムは、布地片の少なくとも第１部分に取り付けられて、布地片に張力を付与するように構成された少なくとも第２布地把持具を含む。
【０００６】
更に他の非限定的な実施形態では、布地処理システムは、第１壁部、第２壁部、少なくとも第３壁部、及びエンクロージャによって画定された布地受容スペースを含む、エンクロージャを含む。布地処理システムは、第１壁部に向けて配置される支持部材を更に含む。支持部材は、布地受容スペース内の布地片を支持するように構成される。布地処理システムは、少なくとも第２壁に配置される布地伸長システムを更に含む。布地伸長システムは、布地片の第１部分に取り付けられて、布地片に張力を付与するように構成された、第１布地把持具と、第２布地把持具と、第１壁部、第２壁部、及び第３壁部のうちの少なくとも１つから延びる伸長ビームと、を含み、布地片の第２部分は、伸長ビームと係合する、及び伸長ビームの周りを少なくとも部分的に回る、のうちの１つであるように構成され、第２布地把持具は、布地片の第３部分に取り付けられて、布地片に張力を付与するように構成される。
【０００７】
更に他の非限定的な実施形態では、布地伸長装置は、支持ビームと、第１突部及び第２突部を含むカラーと、を含み、このカラーは、支持ビームと係合される。布地伸長装置は、第１突部に可動式に取り付けられる第１布地係合部分を更に含み、第１布地係合部分は、支持ビームの第１側に少なくとも部分的に配置されている。布地伸長装置は、第２突部に取り付けられる第２布地係合部分を更に含み、第２布地係合部分は、支持ビームの第２側に少なくとも部分的に配置されている。布地伸長装置は、支持ビームに対して少なくとも第１布地係合部分を移動させて、布地伸長装置を拡げて布地伸長装置上に配置された布地片に張力を付与するように構成された付勢部材を更に含む。
【０００８】
更に他の非限定的な実施形態では、布地ハンガーは、内部に画定された開口部を有するカラー、及び少なくとも１つの布地を支持するように構成されたアームを含む。布地ハンガーは、カラーにおける開口部と可動式と係合された第１吊り部材、及びカラーから延びる、別個の第２吊り部材を更に含む。
【０００９】
更に他の非限定的な実施形態では、布地処理装置内の布地を伸長する方法は、その上に布地を有する布地ハンガーを支持部材に取り付ける工程と、布地処理システムの第１布地把持具を布地の一部分に取り付ける工程と、布地を、支持部材と第１布地把持具の少なくとも部分的に中間で伸長する工程と、を含む。
【００１０】
更に他の非限定的な実施形態では、布地を伸長する方法は、布地伸長装置を提供する工程と、この布地伸長装置上に布地を配置する工程と、第１の収縮した構成から第２の拡がった構成まで布地伸長装置を拡げて布地を伸長する工程と、を含む。
【００１１】
他の非限定的な実施形態では、布地処理システムと共に使用するためのキットは、少なくとも１つの布地ハンガーと、布地処理溶液の少なくとも１つの容器と、衣類のポケットを伸長するように構成された、少なくとも１つのテンショナーと、を含む。
【００１２】
更に他の非限定的な実施形態では、布地のポケットに張力を提供するように構成された装置は、第１側部、第２側部、第１端部、及び第２端部を含む本体を含む。第１側部は、第１端部に近接する、第２側部に付勢式に取り付けられる。第１側部はまた、第２端部に近接する第２側部には取り付けられない。第１側部の少なくとも一部分、及び第２側部の少なくとも一部分は、装置を、ポケット伸長位置内に付勢するように構成された付勢部材を形成する。
【００１３】
更に他の非限定的な実施形態では、布地処理システムは、エンクロージャによって画定された布地受容スペースを含む、エンクロージャを含んでもよい。布地は、エンクロージャ内に配置されるように構成される。布地処理システムは、エンクロージャの少なくとも１つの側壁上に配置された布地伸長システムを更に含む。布地伸長システムは、布地の第１側部と係合されるように構成された、少なくとも１つの布地把持具を含む第１列と、布地の第２側部と係合されるように構成された、少なくとも１つの布地把持具と、を含む。布地が、第１列の少なくとも１つの布地把持具、及び第２列の少なくとも１つの布地把持具に取り付けられる時に、第１列は、布地における開口部を維持するために、第２列から離して配置される。布地処理システムは、第１列と第２列の少なくとも部分的に中間に配置されたガス供給部を更に含む。ガス供給部は、ガスを開口部、並びに布地の第１側部と布地の第２側部との少なくとも中間に流して、少なくとも部分的に布地を乾燥させるように構成される。
【図面の簡単な説明】
【００１４】
添付の図面と関連してなされる本開示の非限定的な実施形態の以下の説明を参照すれば、本開示の上記の及び他の特徴と利点、並びにそれらを達成する方法がより明らかとなり、また本開示自体がより理解されよう。
【図１】前壁が明確化のために取り除かれた状態の、１つの非限定的な実施形態による布地処理システムの正面図。
【図２】前壁が明確化のために取り除かれた状態であり、布地処理システム内の布地を示す、１つの非限定的な実施形態による図１の布地処理システムの正面図。
【図３】後壁が明確化のために取り除かれた状態であり、布地処理システム内の布地を示す、１つの非限定的な実施形態による図１の布地処理システムの背面図。
【図４】後壁が明確化のために取り除かれた状態の、１つの非限定的な実施形態による布地処理システムの背面斜視図。
【図５】後壁が明確化のために取り除かれた状態であり、布地処理システム内の布地を示す、１つの非限定的な実施形態による図４の布地処理システムの背面図。
【図６】後壁が明確化のために取り除かれた状態であり、１つの非限定的な実施形態による、布地処理システムの支持部材のための様々な伸長システムの後方部分的横断面図。
【図７】後壁が明確化のために取り除かれた状態の、１つの非限定的な実施形態による、他の布地処理システムの背面図。
【図８】１つの非限定的な実施形態による、布地処理システムと併せて使用されるように構成された布地把持具の斜視図。
【図９】１つの非限定的な実施形態による、図８の布地把持具の側面図。
【図１０】引き出し可能な引き出しを備える、部分的に開放位置にあり、１つの非限定的な実施形態による、布地処理システムの斜視図。
【図１１】１つの非限定的な実施形態による、他の布地処理システムの斜視図。
【図１２】１つの非限定的な実施形態による、他の布地処理システムの正面図。
【図１３】１つの非限定的な実施形態による、他の布地処理システムの斜視図。
【図１４】その上に配置された布地片を備える、１つの非限定的な実施形態による、布地伸長装置の正面図。
【図１５】収縮した構成であり、かつその上に配置された布地片を有さない、１つの非限定的な実施形態による、図１４の布地伸長装置の正面図。
【図１６】拡がった構成であり、１つの非限定的な実施形態による、図１５の布地伸長装置の正面図。
【図１７】１つの非限定的な実施形態による、図１５の布地伸長装置の部分的正面図。
【図１８】１つの非限定的な実施形態による、図１６の布地伸長装置の部分的正面図。
【図１９】布地処理システムと共に使用するように構成されている、１つの非限定的な実施形態による、第１構成における布地ハンガーの正面図。
【図２０】１つの非限定的な実施形態による、第２構成における図１９の布地ハンガーの正面図。
【図２１】１つの非限定的な実施形態による、布地処理システムと共に使用するためのスターターキットの図。
【図２２】１つの非限定的な実施形態による、シャツのポケットを伸長するために使用されているポケットテンショナーの正面図。
【図２３】１つの非限定的な実施形態による、布地処理システムと共に使用されるように構成された引き出しの斜視図。
【図２４】前壁、後壁、及び１つの側壁が明確化のために取り除かれた状態の、１つの非限定的な実施形態による布地処理システムの斜視図。
【発明を実施するための形態】
【００１５】
本明細書に開示されるシステム、装置、アクセサリ、及び方法の、構造、機能、製造、並びに使用の原理について、総合的な理解を提供するために、本開示の様々な非限定的な実施形態を以後記載する。これらの非限定的な実施形態の１つ以上の実施例を添付の図面に示す。本明細書で詳細に説明し、添付の図面に示される、システム、装置、アクセサリ、及び方法は、非限定的な例の実施形態であり、並びに、本開示の様々な非限定的な実施形態の範囲は、特許請求の範囲によってのみ定義されることが、当業者には理解されよう。１つの非限定的な実施形態に関して示される、又は述べられる特徴は、他の非限定的な実施形態の特徴と組み合わせてもよい。そのような修正及び変形は、本開示の範囲に含まれることが意図される。
【００１６】
１つの非限定的な実施形態では、布地処理システムは、布地及び／若しくは布地片（以下、「布地」及び「布地片」は同義的に称され得る）のしわを除去する、臭いを除去する、加熱する、温める、濡らす、乾燥させる、湿らせる、並びに／又はリフレッシュするのに使用され得る。場合によっては、処理されるべき布地を、それが、しわ除去処理、臭い除去処理、加熱若しくは乾燥処理、濡らす若しくは湿らせる処理、及び／又は布地処理システムからリフレッシュ処理を最も効果的に受容し得るように配置する、方向付ける、及び／又は処理されるように構成することは有益であり得る。そのような場合、例えば、布地の大きな表面積が処理され得るように、拡げられた、開放された、部分的に開放された、吊るしてある、実質的に吊るしてある、及び／又は実質的に平坦な位置で、布地は布地処理システム内に配置されてもよい。ある場合では、例えば、布地を乾燥させる目的で、布地は、それが、少なくとも部分的にそれを通る、又は布地の部分間に形成されたスペースをで、温かい若しくは熱い空気を受容することができるように、布地処理システム内に配置されてもよい。他の場合では、布地は、それが布地の特定の表面積全体に、実質的に均一に濡らす処理若しくは湿らせる処理を受容することができるように、布地処理システム内に配置されてもよい。そのような機構は例えば、布地を濡らし過ぎるのを低減することができる。処理のために、布地を拡げること、布地の少なくとも一部分を開放すること、及び／又は布地を処理のために実質的に平坦にすることに加えて、例えば、しわの除去など様々な利益が、布地処理システム内及び／又は布地処理システムの外で布地を伸長することによって達成され得る。１つの非限定的な実施形態では、布地が、吊るしてある、実質的に吊るしてある、及び／又は吊り下げられた向きにある時に、布地は、例えば、布地の最も下の部分（又は複数の下の部分）に向けて取り付けられた、重りの付いた布地把持具若しくはクランプを使用して、伸長されてもよい。重りの付いた布地把持具は、重りの付いた布地把持具の重りに作用する重力によって、布地を伸長することができる。他の実施形態では、布地はまた、布地処理システムの外及び／又はこの内部で使用されるように構成された布地伸長装置の使用を介して、伸長されてもよい。更に他の実施形態では、布地は、布地伸長システムを含む布地処理システムの使用を介して、伸長されてもよい。１つの非限定的な実施形態では、布地が容易に濡らされ、湿らされ、乾燥され、加熱され、及び／又はリフレッシュされ得るように、布地伸長システムは、布地処理システム内で布地を正しく配置するために使用されてもよい。いずれにしても、布地処理システム及び／又は布地伸長システムは、例えば、ドライクリーニング処理から戻ってきた衣類とそっくりのパリっとした感触を備える、リフレッシュされた、乾燥した、及び／又は洗浄された布地を生じさせることができる。
【００１７】
１つの非限定的な実施形態では、図１〜７、及び２４を参照して、布地処理システムは一般的に１０と呼ばれ、第１壁部１４、第２壁部１６、第３壁部１８、第４壁部２０、後壁２２、及び前壁２４によって画定されたエンクロージャ１２を含み得る。図１及び図２は、明確化のために前壁２４を有さない、布地処理システム１０を示す。図３〜７は、明確化のために後壁２２を有さない、布地処理システム１０を示す。図２４は、明確化のために第１壁部１４、第２壁部１６、第３壁部１８、及び前壁２４を有さない、布地処理システムを示す。これらの後壁２２及び前壁２４はそれぞれ（及び図２４の場合は第３壁部１８）は通常、様々な布地処理システムに含まれてエンクロージャ１２を形成するということを、当業者は理解するであろう。布地処理システム１０及び／又はエンクロージャ１２は、例えば、より丸い又は異なった形状の壁など、任意の他の好適な構成を含むことができるということを、当業者は理解するであろう。１つの非限定的な実施形態では、ユーザーが、例えばシャツ、ブラウス、スカート、タオル、布製ナプキン、ズボン、及び／又はショーツなどを、エンクロージャ１２によって画定された布地受容スペース内に配置することができるようにするために、布地処理システム１０は、アクセスパネル若しくはドア（図１〜７、及び図２４では図示せず）を含んでもよい。１つの非限定的な実施形態では、布地を処理するために使用される、流体、蒸気、化学薬品、及び／又はガスが、布地の処理中にエンクロージャ１２内に、完全に又は実質的に残り得るように、エンクロージャ１２は、布地処理システム１０を包囲する外部環境から少なくとも部分的に密封されてもよい。布地処理システム１０及びエンクロージャ１２に関する更なる詳細は、以下に更に詳細に記載されている。
【００１８】
１つの非限定的な実施形態では、図１〜７、及び２４を参照して、布地処理システム１０は、エンクロージャ１２の布地受容スペース内に配置された布地又は１つ以上の布地を伸長するように構成された、布地伸長システムを含んでもよい。布地伸長システムは、布地把持具、伸長バー、クリップ、弾性部材、延長可能な部材、支持部材、及び／又は他の好適な伸長部材など任意の好適な伸長部材を含んでもよい。任意の構成において、布地伸長システムは、布地処理システム１０が、エンクロージャ１２によって画定された布地受容スペース内に配置された布地をより良く処理し、及び／又はこれのしわを取ることを可能にしてもよい。
【００１９】
１つの非限定的な実施形態では、更に図１〜７、及び２４を参照して、エンクロージャ１２は、布地ハンガー１５、布地ハンガー１５’、布地ハンガー１５Ａ、布地伸長装置７８、及び／又は布地片を受容するように構成された、少なくとも１つの支持部材２６を含む布地伸長システムを含んでもよい。布地処理システムは、第１伸長ビーム２８、少なくとも第２伸長ビーム３０、少なくとも１つの第１布地把持具３２、及び／又は少なくとも１つの第２布地把持具３４を更に含んでもよい。１つの非限定的な実施形態では、第１伸長ビーム２８及び第２伸長ビーム３０、支持部材２６、及び少なくとも１つの第２布地把持具３４は任意であってもよい。支持部材２６が実施形態において使用されない場合、例えば、布地ハンガー１５若しくは１５’、及び／又は布地の一部分を係合して、例えば、所望により布地に張力を付与するために、様々な把持具２５がその場所で使用されてもよい。他の非限定的な実施形態では、様々な把持具２５が、支持部材２６と併せて使用されてもよい。１つの非限定的な実施形態では、布地ハンガーは、例えば、第１壁部１４における開口部に、又は第１壁部１４上のフック若しくは他の取り付け部材に取り付けられてもよい。更に他の実施形態では、布地ハンガー１５、１５’、若しくは１５Ａ、衣類の通常のハンガー、及び／又は布地は、当業者に周知である任意の好適な取り付け部材若しくは方法を用いて、エンクロージャ１２の第１壁部１４及び／又は任意の他の好適な壁に取り付けられてもよい。様々な実施形態では、例えば布地が洗浄され、濡らされ、湿らされ、リフレッシュされ、加熱され、乾燥され、及び／又はしわを取るように、布地がエンクロージャ１２内に配置されている時に、布地伸長システムが使用されて、布地に張力付与してもよい。１つの非限定的な実施形態では、様々な布地把持具又は様々な布地伸長装置（両方とも更なる詳細は以下に記述されている）の構成によって、布地伸長システムは、布地を濡らすこと、湿らせること、及び／又は加熱することにより、布地が拡がる場合でさえも、布地上の張力を維持することができる。布地伸長システムは、特定の用途（例えば衣類、布製ナプキン、タオル、又は他の好適な布地の処理アイテムなど）に好適な任意の構成で、エンクロージャ１２に取り付けられ、エンクロージャ１２と共に形成され、エンクロージャ１２内に配置され、及び／又はエンクロージャ１２と係合されてもよいということ、及び記載された実施形態が単に例示の実施形態であるということを、当業者は理解するであろう。
【００２０】
様々な非限定的な実施形態では、更に図１〜７を参照して、支持部材２６は、第１壁部１４に向けて配置されてもよく、かつ布地、布地ハンガー１５若しくは１５’、及び／又は布地伸長装置７８を保持し、布地を、吊るしてある向きに、実質的に吊るしてある向きに、及び／又は吊り下げられた向きに支持するように構成されてもよい。１つの非限定的な実施形態では、支持部材２６は、エンクロージャ１２の第１壁部１４又は任意の他の壁に又は一部分に可動式に（例えば図６を参照）、又は固定式に取り付けられてもよい。支持部材２６は、そこから延びるクレードル部３８を含む本体３６を含んでもよい。クレードル部３８は、布地ハンガー１５、１５’、１５Ａなどの布地ハンガー、又は例えば布地伸長装置７８の一部分を受容するように構成されてもよい。１つの非限定的な実施形態では、クレードル部３８は、例えば布地ハンガー１５、１５’、１５Ａの第１部分４２を受容するように構成された第１側部と、例えばハンガー１５、１５’、１５Ａの第２部分４６を受容するように構成された第２側部と、を含んでもよい。様々な実施形態では、布地ハンガーを支持するように構成された他の好適な支持部材が、エンクロージャ１２内で使用されてもよい。１つの非限定的な実施形態では、支持部材２６は、ボルト、ねじ、釘、リベット、接着剤、溶接、及び／又は任意の他の好適な取り付け部材若しくは方法によって、第１壁部１４に固定式に取り付けられてよい。
【００２１】
他の非限定的な実施形態では、図６を参照して、支持部材２６は、第１壁部１４の一部分に可動式に取り付けられてもよい。この可動式取り付けは、第１端部５０でエンクロージャ１２及び／又は第１壁部１４の一部分に取り付けられ、かつ第２端部５２で支持部材２６に取り付けられる延長可能な部材及び／又は弾性部材４８（例えば、コード若しくはバンドなど）の使用を介して達成されてもよい。かかる実施形態では、布地が、例えば第２壁部１６上で第１布地把持具３２若しくは３２’と係合される時に、弾性部材４８は支持部材２６を第１壁部１４の方に通常付勢し、布地を伸長することができる。１つの非限定的な実施形態では、支持部材２６は、支持部材２６を布地ハンガー又は布地の一部分に取り付けるために、ユーザーによって、第１壁部１４から離して引っ張られてもよい。ユーザーは次いで、支持部材２６を解放し、弾性部材４８が、支持部材２６を第１壁部１４に実質的に近接する位置に付勢できるようにしてもよい。よって、布地は、第１布地把持具３２若しくは３２’に、又は例えば第２壁部１６に、それを取り付けることによって伸長され得る。１つの非限定的な実施形態では、延長可能な部材は、例えば、バネ仕掛けの機構の周囲に巻き付けられて、例えば部材が延ばされ、かつ収縮されるのを可能にしてもよい。１つの非限定的な実施形態では、弾性部材４８の第１端部５０は、取り付け部材５４（例えばアイフック又はボルトなど）の使用を介して、エンクロージャ１２及び／又は第１壁部１４に取り付けられてもよい。支持部材２６はまた、例えば、それが、布地ハンガーなしで布地に直接取り付けられなければならない時のために、クリップ又は布地把持具を含んでもよい。
【００２２】
他の非限定的な実施形態では、更に図６を参照して、支持部材は、重りシステム、並びに／又は重り及び滑車システムを介して、エンクロージャ１２及び／又は第１壁部１４に可動式と係合されてもよい。重りシステムは、重り５６及びコネクタ５０を含んでもよい。重り及び滑車システムは、重り５６、少なくとも１つの任意の回転可能な滑車５８、及びコネクタ６０を含んでもよい。いずれかの実施形態では、コネクタ６０は、支持部材２６に第１端部で取り付けられて、少なくとも１つの滑車５８の上で延び、第２端部で重り５６に取り付けられてもよい。重り５６及び任意の少なくとも１つの滑車５８は、例えばエンクロージャ１２の壁部におけるチャネル６２内に位置されてもよい。少なくとも１つの任意の滑車５８が配置されて、コネクタ６０を回転可能と係合し、支持部材２６が第１壁部１４に対して移動される時に、コネクタ６０がチャネル６２内で往復するのを可能にしてもよい。他の実施形態では、少なくとも１つの滑車５８が除去されて、支持部材２６が第１壁部１４に対して移動される時に、コネクタ６０はチャネル６２内で単に往復又は摺動してもよい。コネクタ６０は、例えば、コード、ひも、バンド、及び／又はケーブルであってもよい。図６を参照して理解されるように、コネクタ６０及び重り５６は、支持部材２６を、第１壁部１４に近接する位置に通常付勢し、これによって、布地ハンガー及び／又は布地を第１壁部１４の方に引くことにより、布地に張力を付与することができる。重り５６がチャネル６２内で吊るしてある又は配置されている時に、重り５６は、重り５６上に作用する重力によって、第２壁部１６の方に通常付勢され得る。重り５６は、例えば、約０．２ｋｇ〜約４．５ｋｇ（０．５ポンド〜約１０ポンド）、あるいは約０．４ｋｇ〜約３．６ｋｇ（１ポンド〜約８ポンド）、あるいは、約０．９ｋｇ〜約２．７ｋｇ（２ポンド〜約６ポンド）の範囲であってもよい。勿論、他の好適な重りもまた使用されてもよい。
【００２３】
上記に更に加えて、上記の付勢システム（すなわち、弾性部材４８、並び重りシステム並びに／又は重り及び滑車システム）は、支持部材２６が第１壁部１４の方に付勢され得る方法の単なる例示の実施形態であるということを、当業者は理解するであろう。布地処理システム１０は、例えば、１つ以上の弾性部材４８及び／又は１つ以上の重り及び滑車システムを含んでもよい。付勢システムは、単に説明のために図６で共に使用されているのが示されている。例えば、付勢部材、バネ、及び／又は他の好適な部材など、他の機械的部材が、図示された例示の付勢システムに加えて、又はこれと組み合わされる、のいずれかで、支持部材２６を第１壁部１４の方に付勢するために使用されてもよいということを、当業者は理解するであろう。支持部材２６の付勢は、これらの布地が、例えば、布地を濡らすこと、湿らせること、及び／又は加熱することによって拡がる場合でさえも、エンクロージャ１２内に配置された布地上の張力を維持することができる。
【００２４】
１つの非限定的な実施形態では、図２を参照して、第１壁部１４は、少なくとも１つの把持具２５を、支持部材２６に加えて、又は支持部材の代わりに含んでもよい。かかる実施形態では、少なくとも１つの把持具２５は、布地ハンガー（例えば布地ハンガー１５若しくは１５’など）を、エンクロージャ１２内で係合し、支持するように構成されてもよい。他の実施形態において、少なくとも１つの把持具２５は、布地の一部分に取り付けられて、エンクロージャ１２内での処理のために、布地に張力を付与し、及び／又はこれを拡げてもよい。少なくとも１つの把持具２５は勿論、布地を、吊るしてある向きで、又は実質的に吊るしてある向きでエンクロージャ１２内に、布地支持する又は維持するために使用されてもよい。１つの非限定的な実施形態では、少なくとも１つの把持具２５は、例えば、第１壁部１４、第３壁部１８、及び／又は第４壁部２０に取り付けられてもよく、又は可動式にこれに取り付けられてよい。少なくとも１つの把持具２５が、（例えば、延長可能な部材、弾性部材６４、重りシステム、並びに／又は重り及び滑車システムによって）第１壁部１４に可動式に取り付けられる場合では、少なくとも１つの把持具２５は、第１壁部１４に近接する位置に通常付勢されてもよいが、第１壁部１４に対して移動されて、例えば布地及び／又は布地ハンガーを係合する能力を有することができる。布地又は布地ハンガー１５若しくは１５’との係合が達成された後、少なくとも１つの把持具２５は、布地を、例えば第１壁部１４の方にそれが通常付勢されるために伸長することができる。少なくとも１つの把持具２５は、例えば、図１〜５、及び７に示される第１布地把持具及び第２布地把持具のような布地把持具を含むことができる。少なくとも１つの把持具２５を有する実施形態は、布地片、布製ナプキン、又は任意の他の好適な布地若しくは衣類のアイテムを伸長するために、例えば、第２壁若しくはこれに向けて配置された、第１把持具及び第２把持具のいずれかと併せて使用されてもよい。１つの非限定的な実施形態では、これらの布地が、例えば濡らすこと、湿らせること、及び／又は加熱することによって拡がる場合でさえも、張力は、少なくとも１つの把持具２５の付勢によって、エンクロージャ１２内に配置された布地上で維持され得る。
【００２５】
様々な非限定的な実施形態では、任意の好適な布地ハンガーが布地処理システム１０と共に使用されてもよい。１つの非限定的な実施形態では、図１〜３を参照して、布地ハンガー１５は、布地のアイテムと係合されるように構成された布地係合部分４１、突部４３、及び、例えばズボンなど布地を支持するように構成されたクロス部材４５を含んでもよい。突部４３は、第１部分４２及び第２部分４６を含んでもよい。第１部分４２は、支持部材２６のクレードル部３８の第１側部と係合されてもよく、第２部分４６は、支持部材２６のクレードル部３８の第２側部と係合されてもよい。他の非限定的な実施形態では、図４及び５を参照して、布地ハンガー１５’は布地処理システム１０と共に使用されてもよい。布地ハンガー１５’は、以下に更に詳細に記載される。他の実施形態では、図７を参照して、布地伸長装置７８は、支持部材２６のクレードル部３８と係合されてもよい。
【００２６】
１つの非限定的な実施形態では、再び図１〜３を参照して、少なくとも１つの第１布地把持具３２は、第２壁部１６に取り付けられてもよく、及び／又はこれに向けて配置されてもよい。少なくとも１つの第１布地把持具３２は、クリップ、クランプ、及び／又は他の好適な布地係合部材から構成されてもよい。１つの非限定的な実施形態では、少なくとも１つの第１布地把持具３２は、例えば第１布地把持具３２が、エンクロージャ１２内に配置された様々な布地の一部分と係合され得るように、同一のラインに沿って配置された、又は複数の列に配置された１つ以上の第１布地把持具を含んでもよい。当業者に理解されるように、少なくとも１つの第１布地把持具３２は、第１部分及び第２部分を含んでもよく、第１部分及び第２部分は、それらの間で布地の一部分を挟んで、布地の一部分を、少なくとも１つの第１布地把持具３２について、布地の一部分を解放可能に保持してもよい。布地を係合する、少なくとも１つの第１布地把持具３２の第１部分及び第２部分の表面は、少なくとも１つの第１布地把持具３２が、張力下で、布地の一部分を適切に把持し、かつ保持するのを可能にするように構成された隆起部、粗面、及び／又はゴム部分を含んでもよい。１つの非限定的な実施形態では、少なくとも１つの第１布地把持具３２は、それが、第２壁部１６に対して実質的に移動しないように、第２壁部１６に固定式に取り付けられてもよい。かかる実施形態では、支持部材２６は、第１壁部１４に対して移動してもよく、及び／又は第１壁部１４の方に付勢されてもよく、布地片が支持部材２６と係合され、少なくとも１つの第１布地把持具３２が布地を伸長するのを可能にする。これらの布地が、例えば濡らすこと、湿らせること、及び／又は加熱することによって拡がる場合でさえも、張力は、少なくとも１つの第１布地把持具３４の付勢によって、エンクロージャ１２内に配置された布地上で維持され得る。
【００２７】
１つの非限定的な実施形態では、図３を参照して、少なくとも１つの第１布地把持具３２は、第２壁部１６に可動式に取り付けられて、及び／又は第２壁部１６の方に、若しくは他の壁部の方に付勢されてもよいが、第２壁部１６又は他の壁部に対して可動であってもよい。かかる実施形態では、少なくとも１つの第１布地把持具３２は、少なくとも１つの付勢部材６６（例えば伸縮可能な細長い部材、弾性部材、延長可能な部材など）の端部に取り付けられてもよく、その一方で、付勢部材６６の他方の端部は、エンクロージャ１２、第２壁部１６、又は他の壁部に取り付けられてもよい。他の実施形態において、少なくとも１つの第１布地把持具３２は、コネクタ６０の端部に取り付けられてもよく、その一方でコネクタ６０は、重りシステム、並びに／又は重り及び滑車システムと操作可能に係合されてもよい。いずれの場合においても、少なくとも１つの第１布地把持具３２は、例えば第２壁部１６に近接した位置に、又はこれに隣接した位置に通常付勢されてもよい。少なくとも１つの第１布地把持具３２のための付勢部材６６は、上記の支持部材２６に関して図示され、記載された付勢システム若しくは付勢部材と類似であってもよい。重りが重力によって移動することができるように、上記の重りシステム並びに／又は重り及び滑車システムは、わずかに修正される必要があり得る。重りシステム並びに／又は重り及び滑車システムの１つの非限定的な実施形態では、本明細書で記載されたコネクタ６０に類似のコネクタが、第２壁部１６から延びてもよく、かつエンクロージャ１２内のチャネルにおいてピン、旋回部、及び／又は滑車の上に配置されて、次いで例えば、重力が重りへ作用することができるように、吊り下げられた重りに接続されてもよい。そのような修正は当業者によって理解されるであろう。１つの非限定的な実施形態では、第１布地把持具３２が、第２壁部１６又は他の壁部に対して移動することができ、例えば第２壁部１６に隣接した位置に、若しくはこれに向けて通常付勢されるように、付勢部材６６は、収縮した状態から第２壁部１６の方に延ばされてもよい。第１布地把持具３２のこのような付勢は、少なくとも１つの第１布地把持具３２が布地の一部分と係合される時に、布地に張力を付与することができる。１つの非限定的な実施形態では、第１布地把持具３２は、例えば支持部材２６、少なくとも１つの第２布地把持具３４、少なくとも１つの任意の把持具２５、並びに／又は伸長ビーム２８及び３０と共に機能し、又はこれと併せて使用されて、布地に張力を付与してもよい。様々な実施形態では、可動式の、少なくとも１つの第１布地把持具３２は、例えば、第１壁部１４に固定式に取り付けられる又は第１壁部１４と可動式に係合される支持部材２６と併せて使用されてもよい。
【００２８】
１つの非限定的な実施形態では、図４、５、及び７を参照して、１つ以上の第１布地把持具３２’は、処理若しくは乾燥のために、エンクロージャ１２内の布地に係合して、エンクロージャ１２内の布地を伸長する及び／又は布地を配置する、若しくは方向付けるように構成されてもよい。１つの例示の実施形態では、図５を参照して、布地は、例えばスラックス又はズボン７３を含んでもよい。様々な実施形態では、１つ以上の布地把持具３２’は、第２壁部１６若しくは他の壁部に取り付けられてもよく、又はこれと可動式に係合されてもよい。１つ以上の第１布地把持具３２’は一般に、上記の少なくとも１つの第１布地把持具３２と同様に機能することができる。１つ以上の第１布地把持具３２’は、付勢部材６６を使用して、第２壁部１６又は他の壁の方に付勢されてもよい。図４、５、及び７に示される実施形態では、しかしながら、２つ以上の第１布地把持具３２’が使用されてもよく、これによって布地の複数部分が、処理若しくは乾燥のために、第１布地把持具３２’によって係合され、布地を適切に伸長し、及び／又はエンクロージャ１２内に布地を配置する、若しくはこれを方向付けることができる。１つの非限定的な実施形態では、例えばより効率的な乾燥を促進するために、布地は、それが内側から外に乾燥されるように、エンクロージャ１２内で配置されてもよい。少なくとも１つの第１布地把持具３２を参照して説明したように、１つ以上の第１布地把持具３２’は、第１壁部１４に固定式に取り付けられ得る又は第１壁部１４と可動式に係合され得るが、第１壁部の方に付勢され得る支持部材２６と併せて使用されてもよい。かかる実施形態は、布地が支持部材２６と、１つ以上の第１布地把持具３２’との間で伸長されるのを可能にする場合があり、これによって布地は、エンクロージャ１２内で、処理され及び／又はしわを取ることができる。
【００２９】
１つの非限定的な実施形態では、図４を参照して、１つ以上の第１布地把持具３２’は、少なくとも１つの第１布地把持具３２の第１列及び少なくとも１つの第１布地把持具３２の第２列に提供されてもよい。かかる実施形態では、第１列は、第２列から離間した距離（例えば２．５〜２５．４ｃｍ（１〜１０インチ））で離間されてもよい。そのような離間は、シャツの第１側部の第１底部分が、例えば少なくとも１つの第１布地把持具３２’の第１列に取り付けられるのを可能にし得、かつ、シャツの第２側部の第２底部分が、少なくとも１つの第１布地把持具３２’の第２列に取り付けられるのを可能にし得る。そのような場合、シャツの第１側部は、シャツの第２側部から離れた距離で、エンクロージャ１２内で保持され、方向付けられ、及び／又は配置されてもよく、シャツの２つ側部によって形成された、シャツにおける開口部を通って空気が流れ、例えば内側から外へシャツを乾燥させるのを可能にする。シャツのこの配置及びそれに続くシャツの開口部への空気流は、シャツを乾燥させるのに必要とされる時間を著しく低減させることができ、及び／又はシャツの処理若しくはリフレッシュを改善することができる。１つの非限定的な実施形態では、給気９５が第１列と第２列の少なくとも部分的に中間で供給されてもよく、これによってガス供給又は給気９５からの空気（例えば熱風）若しくは他の適したガスが、シャツの開口部を通って流れることができる。そのような空気流は、乾燥中に、シャツを本質的に「膨張させる」場合がある。空気は、例えば、シャツから出てシャツの頂部に流れてもよい。上記は布地の例としてシャツを使用しているが、本開示の考察において、当業者は、他の布地（例えばズボン）、他の衣類、及び／又は布地アイテムが、例えば、少なくとも１つの第１布地把持具３２’の第１列、及び少なくとも１つの第１布地把持具３２’の第２列の配置によって、同様な方式で乾燥されてもよいということを理解するであろう。１つの非限定的な実施形態では、少なくとも１つの第２布地把持具３４’はまた、単体で、又は１つ以上の第１布地把持具３２’の組み合わせてのいずれかで、使用されて、布地の一部分を開放したまま本質的に保持することができ、これによって空気は、布地の第１側部と、布地の第２側部との中間に形成されたスペースに流れ、例えば布地の乾燥に必要とされる時間を減少させることができる。様々な布地把持具を、離間した関係（例えば列に）に配置することによって、布地伸長システムは、関連技術に対して例えば低減された消費エネルギー、より速い布地処理サイクル、及び／又はより効果的な布地の処理など様々な利点を提供することができる。様々な布地把持具の他の適した配置、向き、及び／又は構成が使用されてもよく、これによって布地が最適にエンクロージャ１２内に配置され及び／又は方向付けられて、均一に若しくは実質的に均一に布地処理溶液（例えば、水、水及び芳香剤）を受容することができ、並びに／又は適切に乾燥され得るということを、当業者は理解するであろう。
【００３０】
１つ以上の布地（例えば、２つのシャツなど）がエンクロージャ１２内で処理される、及び／又は乾燥される実施形態では、第１シャツの底部分は、少なくとも１つの第１布地把持具３２’の第１列に取り付けられてもよく、第２シャツの底部分は、例えば少なくとも１つの第１布地把持具３２’の第２列に取り付けられてもよい。そのような実施形態では、第１シャツの一部分は、例えば、第１シャツ及び第２シャツの処理、洗浄、湿潤及び／又は乾燥の間に、第２シャツの一部分から離れた距離で維持されてもよい。そのような配置は、第１シャツと第２シャツとの中間にガス（例えば空気）が流れるのを可能にし、第１シャツ及び第２シャツ上の乾燥していない布地の量を抑える、又は少なくとも低減することができる。
【００３１】
１つの非限定的な実施形態では、図１〜５、及び７を参照して、少なくとも１つの第２布地把持具３４は、少なくとも１つの第１壁部１４、第２壁部１６、第３壁部１８、及び／又は第４壁部２０に取り付けられ得る、及び／又はこれと係合され得る。様々な実施形態では、少なくとも１つの第２布地把持具３４は、第３壁部１８と第２壁部１６との交点に向けて配置されてもよく、他の少なくとも１つの第２布地把持具３４は、例えば、第４壁部２０と第２壁部１６との交点に向けて配置されてもよい。よって、少なくとも１つの第２布地把持具３４は、エンクロージャ１２内で、任意の好適な方向及び／又は向きで、布地を伸長する及び／又は配置するのに使用されてもよい。勿論、他の実施形態では、任意の好適な布地把持具が、エンクロージャ１２内で、任意の好適な方向及び／又は向きで、布地を伸長する及び／又は配置するのに使用されてもよい。１つの非限定的な実施形態では、本開示の様々な布地把持具は、様々な布地把持具及び布地への重力の方向以外の方向で、布地を伸長するために使用されてもよい。１つの非限定的な実施形態では、図７を参照して、複数の第２布地把持具３４が、第３壁部１８及び第２壁部１６、並びに第４壁部２０及び第２壁部１６の交点に向けて配置されてもよい。他の実施形態において、少なくとも１つの第２布地把持具３４は、例えばエンクロージャ１２の各壁に、又はエンクロージャ１２の少なくとも２つの壁に配置されてもよい。一例では、第２布地把持具３４は、クリップ、クランプ、把持具、及び／又は布地と係合するように構成された任意の他の好適な布地係合部材から構成されてもよい。使用時に、少なくとも１つの第２布地把持具３４は、シャツ７２のカフ部分６８、ボタン部分７０、他の一部分、又は例えばズボン７３の一部分など、布地の様々な部分と係合されて、シャツ７２若しくはズボン７３に張力を付与してもよい。第２布地把持具３４は勿論、第２布地把持具３４が、使用中に、布地の一部分に解放可能に保持され得るように、好適な把持部分又は把持面を含んでもよい。当業者は、布地の任意の好適な一部分と係合するために、少なくとも１つの第２布地把持具３４が使用されてもよいということ、並びに、例えば伸長ビーム２８及び３０、少なくとも１つの第１布地把持具３２若しくは３２’、少なくとも１つの把持具２５、及び／又は支持部材２６と共に使用されてもよいということを理解するであろう。
【００３２】
１つの非限定的な実施形態では、少なくとも１つの第２布地把持具３４は、第２壁部１６、第３壁部１８、及び／又は第４壁部２０と可動式に係合されてもよい。勿論、少なくとも１つの第２布地把持具３４はまた、例えば第１壁部１４上に配置されてもよい。１つの非限定的な実施形態では、図２、３、及び５を参照して、少なくとも１つの第２布地把持具３４は、付勢部材７６の端部に取り付けられてもよく、一方で、付勢部材７６の他方の端部は、エンクロージャ１２の一部分及び／又はその様々な壁部のうちの１つと係合されてもよい。１つの非限定的な実施形態では、エンクロージャ１２の様々な壁部との、第２布地把持具３４の可動式な係合は、少なくとも１つの第２布地把持具３４が、布地の方に延され、解放可能に布地に取り付けられるのを可能にしてもよい。一旦、布地へ取り付けられ、解放されると、付勢部材７６は、少なくとも１つの第２布地把持具３４が、例えば第２壁部１６の方に格納されて、及び／又はこれの方に付勢されて、布地を伸長させることができる。１つの非限定的な実施形態では、付勢部材７６は、様々な壁部（例えば、エンクロージャ１２の第２壁部１６など）の方に付勢されるように構成された弾性部材、及び延長可能な部材、並びに／又は伸縮自在な部材であってもよい。様々な実施形態では、付勢部材７６は、上記の付勢部材又は付勢システムと、構造及び／又は機能において類似であってもよい。いずれかの例において、これらの布地は、例えば濡らすこと、湿らせること、及び／又は加熱することによって拡がった場合でさえも、少なくとも１つの第２布地把持具３４の付勢によって、張力は、エンクロージャ１２内に配置された布地上で維持され得る。
【００３３】
１つの非限定的な実施形態では、図１〜３、及び５を参照して、少なくとも１つの第１布地把持具３２若しくは３２’、及び少なくとも１つの第２布地把持具３４は、支持部材２６並びに／又は第１伸長ビーム２８及び第２伸長ビーム３０と共に、あるいはこれらとは独立して使用されてもよい。様々な布地把持具が、第１伸長ビーム２８及び第２伸長ビーム３０と共に使用される一実施形態では、例えばシャツ７２などの衣類のアイテム又は他の布地が伸長されてもよい。１つの非限定的な実施形態では、第１伸長ビーム２８は、第３壁部１８から延び、第３壁部１８から形成され、又は第３壁部１８に取り付けられてもよく、同様に、第２伸長ビーム３０は、第４壁部２０から延び、第４壁部２０から延び、第４壁部２０から形成され、第４壁部２０に取り付けられてもよい。他の実施形態において、他の構成、長さ、寸法、及び／又は形状を備える他の伸長ビームが、エンクロージャ１２内の他の好適な位置で、又はエンクロージャ１２の他の好適な壁部に配置されてもよい。１つの非限定的な実施形態では、伸長ビーム２８及び３０は、ボルト、ねじ、リベット、接着剤、釘、溶接、及び／又は任意の他の好適な取り付け方法を使用して、エンクロージャ１２の様々な壁部に、又はエンクロージャ１２の他の一部分に取り付けられてもよい。
【００３４】
１つの非限定的な実施形態では、図２及び３を参照して、例えばシャツ７２の袖部７４など、布地の一部分は、第１伸長ビーム２８及び第２伸長ビーム３０と係合されてもよく、又はこれらを少なくとも部分的に回ってもよい。次いで、シャツ７２及び／又はシャツ７２の袖部７４に張力を付与するために、第２布地把持具３４は、シャツ７２のカフ部分６８と係合されてもよい。かかる実施形態では、シャツ７２の全て又はほとんどを伸長するために、シャツ７２もまた、支持部材２６及び／又は少なくとも１つの第１布地把持具３２若しくは３２’によって伸長されてもよい。図示されてはいないが、他の実施形態において、他の布地アイテム（例えばタオルなど）の一部分は、第１伸長ビーム２８及び第２伸長ビーム３０を少なくとも部分的に回る、又はこれらを係合し、一方で布地アイテムの他の一部分は、例えば第２布地把持具３４若しくは３４’と係合されてもよい。当業者は、エンクロージャ１０内の他の様々な伸長ビームのための他の使用及び配置を理解するであろう。
【００３５】
１つの非限定的な実施形態では、伸長ビーム（図示せず）は、伸長ビーム２８及び３０に加えて、又はこれの代わりのいずれかで、第１壁部１４の方に角度が付けられ、伸長ビームの一部分は、第１壁部１４に取り付けられる及び／又はこれによって形成されてもよい。かかる実施形態では、第１伸長ビームは、第１端部で第２壁部１６に取り付けられてもよく、かつ第２端部で第１壁部１４に取り付けられてもよい。同様に、第２伸長ビームは、第１端部で第３壁部１８に取り付けられてもよく、かつ第２端部で第１壁部１４に取り付けられてもよい。第１伸長ビーム及び第２伸長ビームは両方とも、支持部材２４に向けて第１壁部１４上の領域の方に角度が付けられてもよく、及び／又は第１壁部１４上の中心位置の方に角度が付けられてもよい。１つの非限定的な実施形態では、第１伸長ビームは、第２壁部１６に対して第１壁部１４上の中心位置の方に、例えば約１０〜約８０度、あるいは約３０〜約６０度、あるいは約４０度〜約５０度、あるいは約４５度、角度が付けられてもよい。第２伸長ビームは、第３壁部１８に対して支持部材２４の方に及び／又は第１壁部１４上の中心位置の方に、第１伸長ビームと同一若しくは類似の方式で角度が付けられてもよい。第２壁部１６及び／又は第３壁部１８に対する、伸長ビームのそのような角度付けは、布地処理システム１０が、例えば水などの組成物を、シャツ７２の後側部分の少なくともほとんどに付与するのを可能にし得、この実施形態では、袖部７４は、シャツ７２の後側部分と、より少ない重なりで、より垂直の向きで配置及び／又は伸長されてもよい。このような実施形態では、第２布地把持具３４は、図３に図示されたように交差される必要がない場合があり、しかし、代わりに、例えばシャツ７２のカフ部分６８を、エンクロージャ１２のそれらの対応面上で伸ばし、これを係合して、実質的に垂直位置に袖７４を伸長してもよい。
【００３６】
１つの非限定的な実施形態では、図２４を参照して、布地を伸長するために、布地の一部分は、「Ｙ」形状のフレーム２８０と係合されてもよい、又はこれを部分的に回ってもよい。
【００３７】
１つの非限定的な実施形態では、図７は、布地処理システム１０のエンクロージャ１２内で、又はエンクロージャ１２の外で使用され得る、例示の布地伸長装置７８を図示する。布地伸長装置７８は、上記の布地ハンガー１５若しくは１５’と同様に、支持部材２６のクレードル部３８と係合されて、布地伸長装置７８を、エンクロージャ１２によって画定された布地受容スペース内で吊るしてある向きで、実質的に吊るしてある向きで、及び／又は吊り下げられた向きで解放可能に保持することができる。図７の布地伸長システム７８は、第２の、すなわち拡げられた構成かつ、明瞭さのために布地をその上に有さない状態で示されている。例示の布地伸長装置７８は、より詳細に以下に記載されている。勿論、布地伸長装置７８は、少なくとも１つの第１布地把持具３２若しくは３２’、少なくとも１つの第２布地把持具３４、少なくとも１つの把持具２５、及び／又は本明細書に記載の布地処理システム１０の他の機構と共に使用されてもよい。
【００３８】
１つの非限定的な実施形態では、図示されてはいないが、布地処理システム１０は、例えば、支持部材２６などの支持部材、及び布地の一部分に取り付けられるように構成された、少なくとも１つの、重りの付いた布地取り付け部材を含んでもよい。重りの付いた布地取り付け部材は、エンクロージャ１２とは別個であってもよいが、布地をエンクロージャ１２内に配置する前、又は布地をエンクロージャ１２内に配置した後のいずれかに、ユーザーによって布地の一部分上に配置可能であり得る。重りの付いた布地取り付け部材は、例えば重り又は重りの付いた部分を含む、クリップを含んでもよい。重り又は重りの付いた部分は、例えば水、金属、及び／又は粉末など、任意の好適な材料を含んでもよい。重りの付いた布地取り付け部材が、布地片の底部に向けて取り付けられる時に（吊るしてある向き又は他の好適な向きで）、重り又は重りの付いた部分によって重りの付いた布地取り付け部材は、吊るしてある布地に張力を付与することができる。重り又は重りの付いた部分は、それに付与される重力によって、布地に張力を付与することができる。１つの非限定的な実施形態では、重りの付いた布地取り付け部材は、それがエンクロージャ１２内で又はこれの外で使用される時に、布地伸長装置７８と併せて使用されてもよい。他の実施形態において、重りの付いた布地取り付け部材は、布地ハンガー１５若しくは１５’及び／又は任意の他の好適なハンガーが、布地伸長装置１０内で、又はこの外側で使用される時に、布地ハンガー１５若しくは１５’及び又は任意の他の好適なハンガーと共に使用されてもよい。
【００３９】
図８及び９は、第１布地把持具３２’、少なくとも１つの第２布地把持具３４、少なくとも１つの把持具２５、及び／又は布地処理システム１０に提供される他の把持具として使用され得る１つの例示の把持具８０を図示する。把持具８０は、第１側部８２、及び第１側部８２に対向する又は実質的にこれに対向する第２側部８４を含み得る。図示されるように、例示の把持具８０は、把持部分８６及び作動部分８８を含み得る。１つの非限定的な実施形態では、把持部分８６は、布地と係合されるように構成されてもよく、それらと係合する時に、適切に布地を把持し、保持するように構成されているゴム材又は他の高摩擦係数材料を含む把持部材８９を含んでもよい。他の実施形態では、把持部材８９はまた、例えばそれらの間に布地を維持する時に把持部材８９を補助するために、粗面、リブ付き面、及び／又は隆起部を備える面を含んでもよい。把持部分８６の第１側部８２及び第２側部８４から移動させて、互いを離間し、把持部分８６を開き、把持部分８６が布地と係合されるのを可能にするために、作動部分８８は一緒に圧縮されてもよい。一旦、布地が把持部分８６内に配置されると、作動部分８８に付与される圧力は解放され得、把持部分８６が閉じて布地を係合するのを可能する。例えば、バネなどの付勢部材（図示せず）が、第１側部８２と第２側部８４との間に配置されてもよく、かつ把持部材８９が布地と接触する及び／又は布地をそれらの間に挟む位置に、把持部分８６を通常付勢するために、第１側部８２及び第２側部８４に取り付けられてもよく、及び／又はこれらに力を付与してもよい。１つの非限定的な実施形態では、把持具８０は、把持具８０がエンクロージャ１２の様々な壁のうちの１つに対して格納する時に、それが付勢部材を損傷しないように構成され得る。１つの非限定的な実施形態では、把持具８０は、弾性であり、延在可能であり、及び／又は伸縮自在部材であってもよく、これによって、例えば、それがエンクロージャ１２の壁部に対して可動であってもよく、エンクロージャ１２の壁部の方に通常付勢されて、把持具８０が張力を布地に付与するのを可能にする。
【００４０】
上記に更に加えて、１つの非限定的な実施形態では、把持具８０は、布地処理システム１０のサイクル中又はこれの後に、把持具８０から熱を消散するように構成された他の機構を含んでもよい。１つの非限定的な実施形態では、把持具８０は、第１側部８２及び第２側部８４の外面９２及び９２’上にそれぞれ、リブ９０を含んでもよい。これらのリブ９０は主に、ユーザーの手又は指が、作動部分８８に接触して、把持具８０の把持部分８６を開く、作動部分８８上に配置されてもよい。１つの非限定的な実施形態では、リブの外面を覆う空気は、例えば面９２及び９２’よりも速くリブ９０を冷却することができる。１つの非限定的な実施形態では、リブが接触する面９２と９２’との間でユーザーの指が、滑り落ちるのを防ぐのを助けるために、面９２及び９２’の上のリブの高さは、約０．３ｍｍよりも大きく、リブと突部との間のスペースは、好ましくは約１０ｍｍ未満であるように、リブは設計されてもよい。更に、リブ又は突部自体はまた、幅が約１０ｍｍ未満であるのが好ましい。
【００４１】
更に、１つの非限定的な実施形態では、把持具８０の第１側部８２及び第２側部８４は、内部に開口部９４を含んでもよい。これらの開口部９４は更に、把持具８０が布地処理システム１０のユーザーによって操作され得るように、布地処理システム１０のサイクル中に及びサイクルの後、把持具８０から熱を消散するのを促進することができる。当業者は、把持具８０のための熱消散の任意の他の好適な方法が使用されてもよく、これは本開示の範囲内であるということを理解するであろう。
【００４２】
１つの非限定的な実施形態では、把持具（図示せず）は、例えば薄い及び／又はデリケートである布地を把持する及び／又は解放可能にこれと係合されるように構成されてもよい。そのような場合、把持具は、把持部材８９の表面積に対して大きな表面積を有する把持部材が設けられてもよい。把持部材上のこの大きな表面積は、把持部材及び／又は把持具の把持部分によって付与される張力を、把持部材の大きな表面積にわたって、薄い及び／又はデリケートな布地に分配するために使用されてもよく、これによって、いずれかの跡が、把持部材が布地に係合した薄い及び／又はデリケートな布地上に残るのを防ぐ、又は少なくとも最小限にする。他の実施形態では、各把持部材は、把持部材が布地に係合する、その薄い及び／又はデリケートな布地の上に跡が残るのを再び防ぐために、又は少なくとも最小限にするために、ゴム材料、圧縮可能な材料、変形可能な材料、及び／又は発泡材料を含む一部分を含んでもよい。当業者は、例えば、把持部材と布地の中間にパッド、シート、及び／又はフィルムを配置することによって、把持部材による、布地上に残された跡を低減するために、他の好適な装置が使用され得るということを理解するであろう。
【００４３】
１つの非限定的な実施形態では、把持具は、把持力調整部材（図示せず）を含んでもよい。把持力調整部材が使用されて、特定の把持具によって布地に付与される把持力又は圧縮力の量を調節してもよい。１つの非限定的な実施形態では、より厚い又はよりデリケートでない布地に対してより大きな把持力が把持具によって付与され得るように調節されてもよく、その一方で、より薄い、又はよりデリケートな布地に対してより小さな把持力が付与され得るように、把持力調整部材が調整されてもよい。把持力調整部材は、例えば、バネ若しくは他の付勢部材で、付与される圧力を増加させる又は減少させて、把持部材が、異なる圧縮力を用いて様々な布地と係合するのを可能にしてもよい。１つの非限定的な実施形態では、把持力調整部材を使用して、様々な布地を係合するための各把持具を構成することによって、把持具の把持部分によって生じた、布地上に残った跡は、排除される及び／又は少なくとも低減され得る。
【００４４】
１つの非限定的な実施形態では、図４を参照して、布地処理システム１０は、カラーコード、ダイアグラム、及び／又は他の好適な視覚的表示など、少なくとも１つの視覚的表示９６を、布地処理システム１０の様々な構成要素上に又はこれらに向けて含んでもよい。視覚的表示９６は、どのように布地処理システム１０の様々な構成要素を使用するか、及び／又はどのように様々な構成要素が一緒に働くか、をユーザーに示すことができる。１つの非限定的な実施形態では、様々な把持具は色分けされてもよい。例えば、第１布地把持具３２若しくは３２’は、青色であってもよく、第２布地把持具３４はオレンジ色であってもよい。よって、布地処理システム１０に提供された様々な指示を考慮して、ユーザーは、例えば、第１布地把持具３２若しくは３２’がシャツの底部分又はズボンのウエストバンドに取り付けられるべきであり、第２布地把持具３４は、例えば、シャツの袖のカフに取り付けるための補助把持具として、及び／又は追加の伸長及び／又は支持を必要とする、布地の任意の他の一部分のために使用され得るということを理解する。他の実施形態において、様々な構成要素をどのように使用するかというダイアグラムは、エンクロージャ１２の外面上及び／又はエンクロージャ１２の内面上に、かつ例えば、それぞれの布地把持具に向けて配置されてもよい。１つの非限定的な実施形態では、例えば、処理される布地に、どのように構成要素が取り付けられるかをユーザーに指示するために、ダイアグラムは、シャツの袖のカフの図、シャツの底部分の図、及び／又はズボンのウエストバンドの図を含んでもよい。布地処理システム１０の様々な構成要素をどのように使用するか、をユーザーが理解するのに役立つことができる任意の他の好適な視覚的表示が提供され得るということを、当業者は理解するであろう。
【００４５】
１つの非限定的な実施形態では、図１０〜１３を参照して、布地処理システム１１０の斜視図は、少なくとも１つの開口部及び引き出し可能部分１１４を形成するエンクロージャ１１２を含んでもよく、引き出し可能部分１１４は、部分的に開いた位置で図示されている。かかる実施形態では、引き出し可能部分１１４は、任意の好適な機械的、電気的、及び／又は手動部材を介して、エンクロージャ１１２に形成された開口部から、水平に、又は実質的に外へ引っ張られる、又はこれから作動され得る前側部分として図示されている。引き出し可能部分１１４を引き出すのに使用される機械的部材の非限定的な例は、例えば、バネ仕掛け部材、鎖駆動部材、及び／又はレバー付き部材を含んでもよい。他の実施形態において、引き出し可能部分１１４は、上向きの方向で、垂直方向で、又は実質的に垂直方向で、例えば、横方向又は水平方向に対向するように、少なくとも部分的にエンクロージャ１１２を出るように配置され、構成されてもよい。１つの非限定的な実施形態では、引き出し可能部分１１４は、１つ以上の摺動部材、例えば、ローラーベアリングを備える又はこれを有さないホイール及び／又は滑り部などを含んでもよく、これはエンクロージャ１１２に提供されたレールに沿って摺動するように構成されてもよい。１つの非限定的な実施形態では、エンクロージャ１１２は、一対の側壁、頂部、前壁、後壁、及び／又は底壁を含む非崩壊部材であってもよく、頂部、前壁、及び／又は後壁のうちの少なくとも１つの一部分は、引き出し可能部分１１４の面１１６から形成されてもよい。面１１１６は、外面１１８を含んでもよい。１つの非限定的な実施形態では、面１１６は、面１１６が閉鎖位置にある時に、エンクロージャ１１２の開口部を少なくとも部分的に密封してもよい。面１１６が、エンクロージャ１１２の開口部を完全に密封しない時に、面１１６とエンクロージャ１１２との間の隙間は、布地処理システム１１０の通気システムの入口及び／又は出口の機能を実施することができる。他の実施形態では、面１１６は、閉鎖位置にある時に、エンクロージャ１１２を完全に密封してもよい。更に他の実施形態では、面１１６の外面１１８は、エンクロージャ１１２、及び／又はエンクロージャ１１２上の密封部を備える同一平面（flush）クロージャを形成することができる。引き出し可能部分１１４は、エンクロージャ１１２の外部から引き出し可能部分１１４にアクセスするための、任意のハンドル１４０を備えて図示されている。
【００４６】
１つの非限定的な実施形態では、図１０を参照して、引き出し可能部分１１４は、任意の後面１２０及び任意の底部１２２を備えて図示されている。この実施形態では、後面１２０は、引き出し可能部分１１４が通常は布地処理システム１１０から完全に取り外されないように、エンクロージャ１１２内に収容され得る。他の実施形態では、引き出し可能部分１１４は、布地処理システム１１０から完全に取り外れてもよい。１つの非限定的な実施形態では、支持部分１２４は、面１１６から任意の後面１２０に延びてもよい。そのような実施形態では、支持部分１２４は布地を吊るすのに、及び／又はその上に布地ハンガーを吊るすのに使用されてもよい。エンクロージャ１１２の内側スペース内にはまる後面１２０を提供することによって得られる１つの利点は、エンクロージャ１１２の内側の側壁、又はエンクロージャ１１２内に提供された管又は線の状態に対してユーザーが限定された露出を有するということである。繰り返し使用によって、内側の側壁は、布地処理システム１１０内で噴霧されている又はミストされている、及び内部で処理されている布地から蒸発した布地処理組成物からの残留物若しくは堆積物を収集することができると考えられる。
【００４７】
上記に加えて更に、１つの非限定的な実施形態では、図１０を参照して、布地処理システム１１０は、加熱素子１２６及び空気流経路１２８を含んでもよい。引き出し可能部分１１４が閉鎖位置にある時に、空気流経路１２８は、空気の少なくとも一部分をエンクロージャ１１２の布地受容スペースに向ける及び／又はこれを通過させるようにしてもよい。加熱素子１２６は、加熱素子１２６が、対流、伝導、及び／又は輻射のいずれかによって、例えばエンクロージャ１１２の内部に、具体的にはエンクロージャ１１２の布地受容スペースに、より具体的にはエンクロージャ１１２の布地受容スペース内に収容されるいずれかの布地に熱を伝達するのを可能にする任意の場所で、エンクロージャ１１２内に配置されてもよい。好適な加熱素子は、例えば、電熱線若しくはコイル、赤外線ランプ、マイクロ波加熱素子、及びこれらの組み合わせを含んでもよい。１つの非限定的な実施形態では、後面１２０がエンクロージャ１１２の後ろに向かって動かされた時に、加熱素子１２６は、それが引き出し可能部分１１４の閉鎖を妨害しないように、エンクロージャ１１２の下方部分と同一平面となるように提供されてもよい。
【００４８】
１つの非限定的な実施形態では、更に図１０を参照して、空気流経路１２８は、例えば取入口１３２及び排気口１３４を含む通気システムによって促進されてもよい。取入口１３２は、排気口１３４の下に配置されてもよい。これによって、積極的な空気流を必要とせずに、熱風を自然に対流させ、移動させて排出できると考えられる。他の実施形態では、取入口１３２は、排気口１３４の上に配置されてもよい。取入口１３２から排気口１３４へと流れる空気は、自然対流又は強制通風によるものであってよい。強制通風の場合、ファン又は他の強制空気移動手段が空気流経路１２８に挿入されてもよい。１つの非限定的な実施形態では、ファンは、引き出し可能部分１１４に干渉するのを避けるために、取入口１３２又は排気口１３４付近に配置されてもよい。
【００４９】
図１１及び１２は、引き出し可能部分１１４が閉鎖位置にある、本開示の他の実施形態による布地処理システム１１０の図を示す。１つの非限定的な実施形態では、布地処理システム１１０は、面１１６の前部の平面状の周辺部を超えて延びる、１つ以上の側面突出部１４６を含んでもよい。側面突出部１４６は、分配ヘッドと吊り下げられた布地との間の距離を若干増加できる、様々な好適な形状で提供されてもよい。１つの非限定的な実施形態では、側面突出部１４６は、任意のプリズム形状、例えば矩形、正方形、若しくは他の多角形、又は孤状（arcoidal）、例えば円形、楕円（oval）、若しくは楕円（ellipse）などを有してもよい。
【００５０】
１つの非限定的な実施形態では、図１２を参照して、本開示の布地処理システム１１０は、エンクロージャ１１２の側壁上及び／又は側面突出部１４６内に配置された複数の分配ヘッド１５０を含んでもよい。このような実施形態では、分配ヘッド１５０は、１つ以上のスプレーヘッド及び／又は１つ以上の超音波ネブライザを含んでもよい。分配ヘッド１５０は、例えば、１分当たり、１ノズルから約２グラム超の、布地処理組成物の高い流量が望ましい時に、使用されてもよい。布地処理システム１１０が１つ以上の側面突出部１４６を含む１つの非限定的な実施形態では、１つ以上の分配ヘッド１５０が側面突出部１４６の内に配置されて、分配ヘッド１５０と、エンクロージャ１１２の布地受容スペースに収容されるいずれかの布地との間の横方向距離を増加させることができる。当業者は、２組以上の分配ヘッド１５０を設けることによって、より迅速で効率的な方法で布地を湿らせることができることを理解するだろう。更に、分配ヘッド１５０と布地との水平距離を増加させることによって、分配される流体はより多くのスペースを有することができ、布地のより多くの領域に分散して、広がることができる。１つの非限定的な実施形態では、図１２は、エンクロージャ１１２の頂部で配置され、布地処理システム１１０内に配置された布地上に、下方向に噴霧するように方向付けられた任意の分配ヘッド１５４を図示する。布地処理システム１１０の内部全体に、例えば、面１１６の内側部分上に、後面上に、及び／又は底面に追加の分配ヘッドが配置されてもよい。分配ヘッド１５０は、布地を最大に被覆するために、かつ布地処理システム１１０の構成要素のいずれかにより噴霧の干渉を避けるために配置されてもよい。
【００５１】
分配ヘッド１５０が１つ以上のスプレーヘッドを含む１つの非限定的な実施形態では、スプレーヘッドは、１つ以上のスプレーノズル、例えば、２つ、３つ、４つ、又は６つのスプレーノズルを含んでもよい。スプレーヘッドにおける複数のスプレーノズルにより、処理されるべき布地若しくは衣類に対して直接的に、有益組成物の効果的な分配を提供することができ、散布時間を最小化する。有益組成物の分配は、散水ノズル、音波若しくは超音波ネブライザ、圧力旋回アトマイザー、高圧噴霧ノズル、及び／又はこれらの組み合わせなど、任意の好適な装置を使用して達成し、標的粒径及び適用パターンを供給できる。好適なノズルの非限定例は、Ｓｐｒａｙ  Ｓｙｓｔｅｍｓ，Ｉｎｃ．（Ｐｏｎｏｍａ，Ｃａｌｉｆ）のモデル４０の８５０番、１０５０番、１２５０番、１４５０番、及び１６５０番としてなどＳｐｒａｙ  Ｓｙｓｔｅｍｓ，Ｉｎｃ．から市販されているノズルを含んでもよい。別の非限定的なスプレーヘッド又はノズルの例は、Ｓｅａｑｕｉｓｔ  Ｄｉｓｐｅｎｓｉｎｇ（Ｇａｒｙ，１１１）によってモデル番号ＤＵ３８１３として製造される圧力旋回噴霧ノズルである。
【００５２】
１つの非限定的な実施形態では、分配ヘッド１５０及び／又は１５４は、加圧スプレー、又は例えばエアアシストを使用する、二重流体ノズルのいずれかを使用する流体噴霧ノズルとして機能することができる。加圧スプレーノズルは、処理用流体の噴霧を支援するための高圧空気を必要としないという利点を有することができる。例えば、高圧電源を使用して静電スプレーノズルとして機能させるなど、特別なノズル設計も使用できる。
【００５３】
好適なスプレーヘッドは、単独ノズル又は複数のノズルを含む複合ノズルであってよい。１つの非限定的な実施形態では、各スプレーヘッドが、例えばドーム形状のハウジング内に搭載されている４つの個々のスプレーノズル備えて、布地処理システム１１０の各側の側面突部１４６内に収容された４つのスプレーヘッドがあってもよい。ノズルの設計は、典型的には、エンクロージャの設計と共に選択されてもよい。側面突出部１４６が存在しない、又は薄い側面突出部が望ましい場合、処理されるべき布地若しくは衣類までの距離が短い場合には、幅広い適用範囲を得るために、典型的には、より広い噴霧角を提供するノズルが使用され得る。より広い側面突部１４６の距離は、若干狭い噴霧角を有するノズルが許容可能な適用範囲の達成するのを促進できる。
【００５４】
１つの非限定的な実施形態では、ノズルの流量は、使用されるノズルの数により変化させてもよい。概して、ノズルの流量にノズルの数とスプレーの数をかけると、布地に付与されるべき有益組成物の所望の量を作ることができる。１つの非限定的な実施形態では、合計のスプレー時間は、例えば、約１１４秒未満、あるいは約１１２秒未満、あるいは約１０秒未満であってもよい。１つの非限定的な実施形態では、それぞれ４個の個別ノズルの、合計８個の複合ノズルが存在し、小型ポンプ及び圧力旋回ノズルを使用する噴霧時間は約２秒であり、噴霧される総有益組成物は、例えば最大約１０グラム、あるいは最大約２５グラム、あるいは最大約５０グラム、あるいは最大約１１２グラムであってもよい。当業者は、布地処理システムのスプレーノズルの数を増加させることによって、合計のデバイス流量が増加され得るということを理解するであろう。例えば、１つのスプレーノズルは毎秒約１ｇの増加を提供することができる。スプレーヘッドに加えて、布地処理システム１１０はまた、例えば、１つ以上の超音波ネブライザを含んでもよい。
【００５５】
所望により、有益組成物は、スプレーノズルによって噴霧される前に加熱されてもよい。スプレーノズルによって噴霧される前に、有益組成物を事前に加熱することは、任意の加熱素子、（例えば、電熱線若しくはコイル）、赤外線ランプ、マイクロ波加熱、放射加熱、及び／又は任意の他の好適な加熱装置若しくは方法などによって達成されてもよい。
【００５６】
図１２は、本開示の少なくとも１つの非限定的な実施形態による、布地処理システム１１０の正面図である。図１２の布地処理システム１１０は、この布地処理システム１１０が基部スタンド１６４を含むことができるのを除いて、図１１の布地処理システムと同様である。
【００５７】
図１３は、本開示の少なくとも１つの非限定的な実施形態による、布地処理システム１１０の斜視図を示す。布地処理システム１１０は、例えば、正方形若しくは矩形のプリズム形状など、矩形又は四辺形を有する側面突部１４６’を含む。布地処理システム１１０は、第２面１７０を含む、第２引き出し可能部分１６６を更に含んでもよい。第２引き出し可能部分１６６は、有益組成物を内部に収容するリザーバ１７２を受容するように構成されてもよく、かつ上記のハンドル１４０と同様なハンドル１６４を含んでもよい。１つの非限定的な実施形態では、引き出し可能部分１１４は基部１５８を含んでもよい。１つの非限定的な実施形態では、基部１５８は、引き出し可能部分１１４の下に提供された任意の加熱素子、及び／又はチャネルへの露出を可能にする開口部を含み、自然若しくは強制された通気の対流のいずれかによる加熱空気の流れを促進することができる。
【００５８】
１つの非限定的な実施形態では、図１３を参照して、本開示の布地処理システム１１０は、例えば任意の好適な布地処理組成物の源を収容してもよい。１つの非限定的な実施形態では、布地処理組成物の源は、第２引き出し可能部分１６６上に配置されたリザーバ１７２内に配置されてもよく、又はリザーバ１７２内に収容されてもよい。他の実施形態において、リザーバ１７２はまた、エンクロージャ１１２の上方部分１７４に配置されてもよい。リザーバ１７２が第２引き出し可能部分１６６内に配置されている場合には、リザーバ１７２は第２引き出し可能部分１６６を引っ張ることによってアクセスされてもよい。リザーバ１７２がエンクロージャ１１２の上方部分１７４内に配置される場合には、エンクロージャ１１２内の開口部が提供されて、リザーバ１７２へのアクセスを可能にし得る。リザーバ１７２は、布地処理システム１１０内に提供された少なくとも１つの分配ヘッドに操作可能に接続されてもよく、少なくとも１つのスプレーヘッドは、エンクロージャ１１２の布地受容スペースの方に、かつ布地の上に布地処理組成物を分配するように方向付けられる。１つの非限定的な実施形態では、リザーバ１７２は、例えば、詰め替え可能又は交換可能なリザーバであってもよい。
【００５９】
１つの非限定的な実施形態では、布地処理組成物の源は、例えば、布地処理システム１１０内に提供される複数の分配ヘッドに操作可能に接続される布地処理組成物の容器、独立スプレー部材、建物の配管システムに操作可能に接続された流体輸送部材、及び／又はこれらの組み合わせを含んでもよい。好適な独立スプレー部材には、ＦＥＢＲＥＺＥ（登録商標）布地用スプレー、ＤＯＷＮＹ（登録商標）Ｗｒｉｎｋｌｅ  Ｒｅｌｅａｓｅスプレーなどのハンドスプレー製品、及び／又は任意の他の市販のスプレー装置（スプレー式洗濯のり若しくは瓶入り芳香スプレーなど）、及び／又はＦＥＢＲＥＺＥ（登録商標）Ａｉｒ  Ａｆｆｅｃｔｓなどエアゾール缶スプレー製品を含んでもよい。好適な独立スプレー部材の寸法は、例えば約０．３５Ｌ（１２ｏｚ）の容器及び約０．８Ｌ（２７ｏｚ）の容器を含んでもよい。独立スプレー部材は、布地処理システム１１０から分離されて提供され得るボトルであってもよく、又は例えばボトルスタンドなど、布地処理システム１１０に取り外し可能に取り付けられてもよい。ユーザーが単に布地を水で濡らしたい場合の１つの非限定的な実施形態では、布地処理組成物の源は、例えば洗濯機又は住宅の蛇口など別の装置から供給されてもよい。
【００６０】
様々な実施形態では、図１０〜１３を参照して、ハンドル１４０若しくは１６４は、ユーザーが押して、エンクロージャ１１２から引き出し可能部分１１４を解放する及び／又は少なくとも部分的に取り出すことができるボタンであってもよい。このボタンは、この一部分を引いて閉鎖位置にし、動作のために、布地処理システム上を作動させる単一作動トリガーであってもよい。引き出し可能部分１１４はまた、それが、作動された時に自動的にエンクロージャ１１２から離れて伸びるようにバネ仕掛けであってもよい。布地処理システム１１０の支持部分を自動的に露出させることによって、ユーザーが、布地処理システムのいずれかの内側の内容物若しくは側壁に接触する又はコンタクトする必要がない。本明細書で記載される布地処理システムの様々な非限定的な実施形態の更なる機構及び利点が、米国特許出願第６１／０７６，３２１号（２００８年６月２７日出願）、表題「ＦＡＢＲＩＣ  ＲＥＦＲＥＳＨＩＮＧ  ＣＡＢＩＮＥＴ  ＤＥＶＩＣＥ」に、より詳細に開示され、これはその全体がここに援用するものである。
【００６１】
任意の好適な液体及び／又は流体布地処理組成物が、本開示から逸脱することなく布地処理組成物として使用できる。好適な布地処理組成物には、しわ、悪臭を低減する及び／若しくは除去する、並びに／又は他の望ましい布地処理効果をもたらす、任意の液体又は流体組成物を含んでもよい。更なる好適な布地処理組成物は、布地上、及び／又は布地処理システムが保存される周囲空気へと所望の匂いを付与することができる香料及び芳香剤を含んでもよい。精製水、水道水などを含む水も、好適な布地処理組成物である。本発明の布地処理システムは、悪臭及び／又はしわの低減などによって布地又は衣類をリフレッシュするために使用されるが、しみ防止剤であってよい、並びに／又は例えば、しみ、土、変色及び／若しくは布地の着用及び使用からの他の望ましくない影響の除去も補助する組成物を使用することが可能である。
【００６２】
１つの非限定的な実施形態では、布地処理組成物は、水並びに任意に界面活性剤、香料、防腐剤、漂白剤、洗浄補助剤、収縮低減組成物、有機溶媒、及び／又はこれらの混合物からなる群から選択される部材を含んでもよい。布地処理組成物は、揮発性及び不揮発性の成分の両方を含んでもよい。好適な有機溶媒は、グリコールエーテル、具体的には、メトキシプロポキシプロパノール、エトキシプロポキシプロパノール、プロポキシプロポキシプロパノール、ブトキシプロポキシプロパノール、ブトキシプロパノール、エタノール、イソプロパノール、しわ取り剤、着用中防しわ剤、半耐久アイロン剤、臭い吸収剤、及び／若しくは揮発性シリコーン、並びに／又はこれらの混合物を含んでもよい。使用に好適な布地収縮低減組成物は、エチレングリコール、プロパンジオールの全ての異性体、ブタンジオール、ペンタンジオール、ヘキサンジオール、及び／又はこれらの混合物からなる群から選択されてもよい。１つの非限定的な実施形態では、布地収縮低減組成物は、ネオペンチルグリコール、ポリエチレングリコール、１，２−プロパンジオール、１，３−ブタンジオール、１−オクタノール、及び／又はこれらの混合物からなる群から選択されてもよい。好適な界面活性剤は、エトキシ化アルコール又はエトキシ化アルキルフェノールなど非イオン性界面活性剤を含んでもよく、布地処理組成物の最大約２重量％で存在する。補助的な洗浄剤は、シクロデキストリン及びしわ取り剤、例えばシリコーン含有加工物を含んでもよい。特に防しわ剤は、揮発性シリコーンを含んでもよく、その一部はＤｏｗ  Ｃｏｒｎｉｎｇ  Ｃｏｒｐｏｒａｔｉｏｎから購入できる。１つのこのような揮発性シリコーンは、Ｄ５シクロメチコンデカメチルシクロペンタシロキサンである。本明細書において典型的な布地処理組成物は、少なくとも約８０重量％の水、あるいは少なくとも約９０重量％の水、あるいは少なくとも約９５重量％の水を含んでもよい。好適な布地処理組成物の非限定的な例は、米国特許第６，７２６，１８６号（Ｇａａｌｏｕｌら）に提供されている。
【００６３】
別の好適な布地処理組成物は、米国特許第６，４９１，８４０号（Ｆｒａｎｋｅｎｂａｃｈら）で開示されるしわ低減組成物の分配及び安定性を向上させるために特定のｐＨを有するポリマー組成物及び同第６，４９５，０５８号（Ｆｒａｎｋｅｎｂａｃｈら）で開示される水性しわ抑制組成物であってもよい。
【００６４】
更に他の実施形態では、Ｒｏｓｅｌｌｅらの名で２００９年２月１２日に公開された、米国特許出願公開第２００９／００３８０８３号に開示される布地処理組成物が使用されてもよい。例えば、１つの好適な布地処理組成物は、水溶性の四級アンモニウム界面活性剤を含んでもよい。典型的には、組成物に含まれる水溶性四級剤の最小レベルは、少なくとも約０．０１％、あるいは少なくとも約０．０５％、あるいは少なくとも約０．１％であり、一方、水溶性四級剤の典型的な最大レベルは、最大約２０％、あるいは約１０％未満、あるいは約３％未満、及び一般には約０．２％〜約１．０％の範囲であり、実質的に非水溶性の油成分又は油混合物であって、油成分が＞１のｃｌｏｇＰを有してよい油成分又は油混合物である。典型的には、組成物に含まれる油成分の最小レベルは、少なくとも約０．００１％、あるいは少なくとも約０．００５％、あるいは少なくとも約０．０１％であり、及び典型的には、油成分の最大レベルは最大約５．０％、あるいは約３％未満、及び一般には約０．０５％〜約１％の範囲であり、上記のパラグラフに参照される、米国特許出願第２００９／００３８０８３号に開示される任意成分、及び水分バランスである。
【００６５】
１つの非限定的な実施形態では、布地伸長装置は、布地（例えばシャツ、スカート、ジャケット、ブレザー、ブラウス、衣類の他のアイテム、タオル、テーブルクロス、布製ナプキン、及び任意の／若しくは他の好適な布地など）、並びに／又は、伸長及び／若しく拡大から利益を享受する材料を伸長するように構成される。図１４〜１８を参照すると、例示の布地伸長装置２００が示されている。図示されるように、例えばシャツ２０２などの布地は、シャツ２０２が伸長されて、例えばしわを排除する又は軽減し得るように、布地伸長装置２００上に配置される。布地伸長装置２００は、従来の洗浄装置で、又は本明細書に記載の布地処理システムで布地を洗浄する若しくは処理する前に、その最中、及び／又はその後に使用されてもよい。布地伸長装置２００はまた、洗浄されたばかりの布地上で、又は事前に洗浄されているが、処理及び／若しくはしわ取りのために更なる伸長を必要とする布地上で使用されてもよい。１つの非限定的な実施形態では、布地伸長装置２００は、例えばクローゼット内の水平なバー若しくはロッドなどの支持部から、布地処理システム２００を吊るすのに好適なハンガー２０４を含んでもよい（例えば、図１４〜１６を参照）。他の実施形態では、ハンガー２０４’は、例えば布地処理システム又はエンクロージャ内の支持部材若しくは支持部材のクレードルから吊るされるように構成されてもよい（例えば図１７及び１８を参照。）。勿論、当業者は、他の好適なハンガー、吊り部材、及び／又は吊り下げ部材は、本開示の範囲内であり、様々な好適な位置に布地伸長装置２００（fabric treating apparatus 200）を吊るす若しくは吊り下げるのに使用されてもよいということを理解するであろう。
【００６６】
１つの非限定的な実施形態では、更に図１４〜１８を参照して、布地伸長装置２００は、支持ビーム２０６を含んでもよい。支持ビーム２０６は、ハンガー２０４若しくは２０４’、又は任意の好適なハンガーに取り付けられる、又はこれと一体形成されるように構成された端部を含んでもよい。カラー２０８は、支持ビーム２０６と固定式に取り付けられる、及び／又は支持ビームと可動式に若しくは摺動可能に係合するように構成されてもよく、これによって、一部の実施形態では、カラー２０８は、支持ビーム（図１４、１６、及び１８）に対して動くことができる。１つの非限定的な実施形態では、図１５及び１６を参照して、支持ビーム２０６に対するカラー２０８の動きを防ぐ又は少なくとも抑制するためのロック機構を使用して、カラー２０８は支持ビーム２０６上の定位置に固定されてもよい。ロック機構は、ラック２０９若しくは他の好適な部材を係合する及び／又は摩擦嵌めするように構成されたねじ付きのサムホイール２０７を含んでもよい。他の実施形態において、例えば、好適なラチェットレバー、カムレバー、急速解除ピン／戻り止め配置、又はバネ仕掛けボタン／戻り止めの配置は、ロック機構として使用されてもよい。複数の戻り止め（図示せず）は、カラー２０８が支持ビーム２０６に対して好適な位置にある時に、急速解除ピン及び／又はバネ仕掛けボタンが戻り止めに係合することができるように、支持ビーム２０６内に形成されてもよい。急速解除ピン及び／又はバネ仕掛けボタンは、それらが戻り止めに係合して、所望のとおり戻り止め内に残るように、支持ビーム２０６の方に通常付勢され得ることを当業者は理解するであろう。勿論、当業者に周知の任意の他の好適なロック機構が使用されてもよく、これは本開示の範囲内である。
【００６７】
１つの非限定的な実施形態では、カラー２０８は、第１突部２１０及び第２突部２１２を含んでもよい。カラー２０８は、第１突部２１０と第２突部２１２の中間で少なくとも部分的に中間でカラー２０８上の位置で、支持ビーム２０６上に配置されてもよい。布地伸長装置２００は、第１突部２１０に取り付けられ、又はこれに可動式に取り付けられ、かつ支持ビーム２０６の第１側に少なくとも部分的に配置された第１布地係合部分２１４と、第２突部２１２に取り付けられ、又はこれに可動に取り付けられ、かつ支持ビーム２０６の第２側に少なくとも部分的に配置された第２布地係合部分２１６とを含んでもよい。他の実施形態では、第１布地係合部分２１４及び第２布地係合部分２１６は両方ともカラー２０８に固定式に取り付けられてもよく、又は例えばカラー２０８と可動式に係合されてもよい。
【００６８】
１つの非限定的な実施形態では、第１突部２１０は、内部に細長いスロット２１１を画定してもよく、及び／又はカラー２０８の第２突部２１２は、内部に細長いスロット２１３を画定してもよい。第１布地係合部分２１４の端部２１５及び／又はそこから延びるピンは、細長いスロット２１１に係合してもよく、かつ、第２布地係合部分２１６の第１突部２１０及び／又は端部２１７に画定された細長いスロット２１１内で可動であってもよく、及び／又はそこから伸びるピンは、細長いスロット２１３に係合してもよく、かつ第２突部２１２に形成された細長いスロット２１３内で可動であってもよい。よって、カラー２０８上の解放機構は、非係合位置であり（すなわち、第１布地係合部分２１４及び第２布地係合部分２１６と接触しない）、端部２１５及び２１７、並びに／又はそこから伸びるピンは、付勢部材及び少なくとも１つのクロス部材によって、第１布地係合部分２１４及び第２布地係合部分２１６に付与された力により、支持ビーム２０６に対する方向で、又は支持ビーム２０６から離れる方向で、細長いスロット２１１及び２１３内で移動することができる。当業者は、細長いスロット２１１又は２１３のうちの少なくとも１つが、本開示の範囲内で取り除かれてもよく、布地伸長装置２００は、内部に配置された布地を伸長する及び／又は拡げるために更に機能し得るということを理解するであろう。
【００６９】
１つの非限定的な実施形態では、ユーザーは、実質的な張力がそこに配置された布地に付与されない第１の収縮した構成（例えば図１５を参照）と、実質的な張力が、そこに配置された布地若しくはシャツ２０２に付与され得る第２の拡がった構成（例えば図１４を参照）との間で、布地伸長装置２００を移動させることができる。この実質的な張力は、布地若しくはシャツ２０２を、処理、伸長、及び／又はしわ取りのために拡げることができる。
【００７０】
１つの非限定的な実施形態では、解放機構は、第１の収縮した構成と、第２の拡がった構成との間で布地伸長装置２００を移動させるためにユーザーによって使用され得る。１つの非限定的な実施形態では、解放機構２１８は、カラー２０８上に及び／又は支持ビーム２０６上に配置されてもよく、解放機構２１８が第１布地係合部分２１４及び／又は第２布地係合部分２１６に接触する係合位置（例えば図１５及び１７を参照）と、解放機構２１８が第１布地係合部分２１４及び／又は第２布地係合部分２１６と接触しない非係合位置（例えば図１４、１６、及び１８を参照）との間で移動するように構成されてもよい。１つの非限定的な実施形態では、図１６及び１８を参照して、第１布地係合部分２１４及び２１６は、解放機構２１８の一部分を受容するように構成された任意の戻り止め２２０を含んでもよい。これらの戻り止め２２０は、例えば、解放機構２１８の一部分と、戻り止め２２０の表面の一部分との間に十分な摩擦係数を提供して、解放機構２１８の一部分と、戻り止め２２０の一部分との間に好適な係合を可能にするために、粗面若しくはうねのある表面を含んでもよい。１つの非限定的な実施形態では、解放機構２１８は、例えばピン若しくは枢動部を使用して、カラー２０８及び／又は支持ビーム２０６に枢動可能に取り付けられるか、ないしは別の方法で取り付けられてもよい。様々な実施形態では、解放機構２１８は、例えばバネなどの付勢部材を使用して、カラー２０８及び／又は支持ビーム２０６に対する位置に通常付勢されてもよい。よって、解放機構２１８は、第１布地係合部分２１４及び第２布地係合部分２１６と係合された時に、布地伸長装置２００を第１の収縮した構成で維持することができる。１つの非限定的な実施形態では、任意の他の好適な解放機構は、例えばピン又はクリップなど布地伸長装置２００と共に使用されてもよい。
【００７１】
１つの非限定的な実施形態では、例えば付勢部材２２４などの付勢部材は、布地伸長装置２００を第１の収縮した構成から、第２の拡がった構成に付勢するように構成され得る。付勢部材は、例えば、バネ、弾性コード、及び／又は弾性部材を含んでもよい。１つの非限定的な実施形態では、解放機構２１８が非係合位置にある時に、付勢部材２２４は、布地伸長装置２００を第２の拡がった構成に通常付勢してもよい。１つの非限定的な実施形態では、解放機構２１８が非係合位置にあり（例えば図１４、１６、及び１８を参照）、布地伸長装置２００を拡げ、布地片及び／又はシャツ２０２に好適な張力を付与する時に、付勢部材２２４は、第１布地係合部分２１４及び／又は第２布地係合部分２１６を、支持ビーム２０６に対して移動させる、及び／又は支持ビーム２０６から移動させて離間するように構成されてもよい。１つの非限定的な実施形態では、付勢部材２２４は、例えば、約０．２ｋｇ〜約６．８ｋｇ（０．５ポンド〜約１５ポンド）、あるいは約０．４ｋｇ〜約４．５ｋｇ（１ポンド〜約１０ポンド）、あるいは約０．７ｋｇ〜約２．５ｋｇ（１．５ポンド〜約５．５ポンド）の力を付与してもよい。他の実施形態において、１．４ｋｇ〜４．５ｋｇ（３ポンド〜１０ポンド）の重量の、より重い衣類は、適切に衣類を伸長するために、より高い付勢力を必要とする場合がある。そのような実施形態では、追加で要求される力は、ユーザーによって手動で付与されてもよい。他の実施形態では、付勢部材２２４は、第１の収縮した位置と、第２の拡がった位置との間で布地伸長装置２００を移動させるように構成された任意の他の好適な力を付与し、好適な張力を布地伸長装置２００上に配置された布地に付与してもよい。更に他の実施形態では、付勢部材は、カラー２０８を第１の方向に押して、吊り部材２０４若しくは２０４’、及び／又は支持ビーム２０６を、例えば第１の方向に対向する、又は実質的に対向する第２の方向に引っ張ることにより、ユーザーによって手動で付与されてもよい。そのような実施形態では、手動で付与された力は、支持ビーム２０６沿った位置にカラー２０８を固定するために、ロック機構を係合することによって維持され得る。１つの非限定的な実施形態では、布地を濡らすこと、湿らせること、及び／又は加熱することよって布地が拡がる場合でさえも、布地伸長装置２００の付勢は、その上に配置された、布地上に張力を維持するのに十分であり得る。
【００７２】
１つの非限定的な実施形態では、第１布地係合部分２１４及び第２布地係合部分２１６が、布地伸長装置２００上に配置された布地に係合する力が計算され得る。布地若しくは衣類の重さ（重量＝衣類の質量×重力）＋付勢部材の力は、第１布地係合部分２１４及び第２布地係合部分２１６によって付与される、布地への布地係合力に等しい場合がある。１つの例示の実施形態では、衣類の重量は、例えば、約０．２ｋｇ〜約０．７ｋｇ（０．５ポンド〜約１．５ポンド）、あるいは約０．０９ｋｇ〜約１．４ｋｇ（０．２ポンド〜約３ポンド）、あるいは約０．４ｋｇ〜約２．８ｋｇ（１ポンド〜約５ポンド）であってもよい。付勢部材２２４は、例えば、約０．２ｋｇ〜約１．１ｋｇ（０．５ポンド〜約２．５ポンド）、あるいは約０．０４ｋｇ〜約２．８ｋｇ（０．１ポンド〜約５ポンド）、あるいは約０．４ｋｇ〜約４．５ｋｇ（１ポンド〜約１０ポンド）の力を付与してもよい。衣類の重量及び付勢部材によって付与される力によって、布地係合力は、例えば、約０．４ｋｇ〜約１．４ｋｇ（１ポンド〜約３ポンド）、あるいは約０．２ｋｇ〜約２．８ｋｇ（０．５ポンド〜約５ポンド）、あるいは約１．４ｋｇ〜約４．５ｋｇ（３ポンド〜約１０ポンド）であってもよい。高い布地係合力に到達するために、ユーザーは、例えば吊り部材２０４から離れる方向で、カラー２０８を手動で押し、次いでロック機構２０７及び２０９、又は他の好適なロック機構を使用し、支持ビーム２０６上のその位置でカラー２０８を維持しなくてはならない場合がある。１つの実施例では、衣類の重量が０．４ｋｇ（１ポンド）で付勢部材の力が０．９ｋｇ（２ポンド）である場合、布地係合力は１．４ｋｇ（３ポンド）である。
【００７３】
１つの非限定的な実施形態では、付勢部材２２４は、支持ビーム２０６に取り付けられた第１端部２２５と、支持ビーム２０６と、第１布地係合部分２１４及び第２係合部分２１６のうちの少なくとも１つとの間で延びる、少なくとも１つのクロス部材の端部と係合された第２端部２２７を含んでもよい。他の実施形態では、第２端部２２７は、少なくとも１つのクロス部材の端部から延びるピン２２９に取り付けられてもよい。１つの非限定的な実施形態では、付勢部材２２４は、支持ビーム２０６に取り付けられてもよく、及び／又はピン、ボルト、ねじ、リベット、及び／又は任意の他の好適な機械的部材によって少なくとも１つのクロス部材の端部と可動式に係合されてもよい。勿論、付勢部材２２４はまた、支持ビーム２０６及び／又はクロス部材の端部に接着されてもよく、これと共に形成されてもよく、及び／又は別の方法でこれに取り付けられてもよい。１つの非限定的な実施形態では、付勢部材２２４は、例えば、クロス部材の端部をカラー２０８の方へ引くように構成された伸長バネを含んでもよい。他の実施形態において、しかしながら、圧縮バネが使用されてもよい。圧縮バネは、例えば、クロス部材の端部をカラー２０８の方へ押すことができる。
【００７４】
１つの非限定的な実施形態では、布地伸長装置２００は、支持ビーム２０６と、第１布地係合部分２１４及び第２布地係合部分２１６のうちの１つとの間で延びる、少なくとも１つのクロス部材を含んでもよい。少なくとも１つのクロス部材は、第１布地係合部分２１４及び第２布地係合部分２１６のうちの少なくとも１つを支持してもよく、いくつかの場合ではこれを付勢してもよい。１つの非限定的な実施形態では、クロス部材２２６は、第１端部２２８及び第２端部２３０を含んでもよい。第１端部２２８は、支持ビーム２０６と可動式に係合されてもよく、第２端部２３０は、第１布地係合部分２１４に取り付けられてもよく、これと可動式に取り付けられてもよく、又はこれと可動式に係合されてもよい。そのような実施形態では、支持ビーム２０６は、少なくとも１つの開口部又は細長い開口部２３２を含んでもよく、ここで、クロス部材２２６の第１端部２２８又はピン２２９は、細長い開口部２３２内で支持ビーム２０６と可動式に係合されてもよく、クロス部材２２６の第１端部２２８と、支持ビーム２０６との間の相対運動を可能する。
【００７５】
１つの非限定的な実施形態では、付勢部材２２４は、クロス部材２２６（又はクロス部材２２６の第１端部２２８若しくはピン２２９）及び支持ビーム２０６と操作可能に係合されてもよく、かつクロス部材２２６を付勢して、布地伸長装置２００を拡げ、例えば布地及び／又はシャツ２０２に張力を付与するように構成されてもよい。１つの非限定的な実施形態では、付勢部材２２４は、クロス部材２２６の第１端部２２８を、カラー２０８の方へ付勢するように構成されて、少なくとも第１布地係合部分２１４を移動させて支持ビーム２０６から離間させ、布地及び／又はシャツ２０２に張力を付与してもよい。支持ビーム２０６及びクロス部材２２６の構成によって、付勢部材２２４は、クロス部材２２６の第１端部２２８を、カラー２０８から離して付勢し、第１布地係合部分２１４及び第２布地係合部分２１６の少なくとも１つを、第１の収縮した構成から第２の拡がった構成へと移動するように構成されてもよい。
【００７６】
１つの非限定的な実施形態では、布地伸長装置２００はまた、その第１端部２３６上で、又はピン２２９によって支持ビーム２０６と係合されるか、又はこれと可動式に係合され、かつその第２端部２３８上で、第２布地係合部分２１６と係合され、又は可動式に係合される第２のクロス部材２３４を含んでもよい。かかる実施形態では、クロス部材２２６及び第２クロス部材２３４は両方とも、付勢部材２２４と操作可能に係合されてもよく、これによって、それらが、付勢部材２２４によって動かされ、第１の収縮した構成と、第２の拡がった構成との間で布地伸長装置２００を移動することができる。他の実施形態において、別個の付勢部材は、例えばクロス部材２２６及び第２クロス部材２３４と操作可能に係合されてもよい。１つの非限定的な実施形態では、第３クロス部材２４０は、その第１端部２４２上で、又はピン２３１によって支持ビーム２０６と係合されてもよく、又はこれと可動式に係合されてもよく、かつその第２端部２４４上で第１布地係合部分２１４と係合してもよく、又はこれと可動式に係合してもよい。同様に、第４クロス部材２４６は、その第１端部２４８上又はピン２３１によって支持ビーム２０６と係合されてもよく、又はこれと可動式に係合されてもよく、かつその第２端部２５０上で第２布地係合部分２１６と係合されてもよく、又はこれと可動式に係合されてもよい。様々なクロス部材が、第１布地係合部分２１４及び第２布地係合部分２１６を支持するために、かつ布地伸長装置２００に剛性の支持を提供するために使用されてもよい。１つの非限定的な実施形態では、第２クロス部材２３４、第３クロス部材２４０、及び第４クロス部材２４６は、任意であってもよい。他の様々な実施形態では、第３クロス部材２４０及び第４クロス部材２４６は任意であってもよい。
【００７７】
１つの非限定的な実施形態では、図１５及び１６を参照して、クロス部材２２６及び第３クロス部材２４０は、支持ビーム２０６の背面上で支持ビーム２０６に係合してもよく、第２クロス部材２３４及び第４クロス部材２４０は、支持ビーム２０６の前面上で支持ビーム２０６に係合してもよい。当業者は、他の向きが本開示の範囲内で提供される場合があるということを理解するであろう。例えば、クロス部材の全ては、支持ビーム２０６の背面上で係合してもよく、及び／又は支持ビーム２０６の前面上で係合してもよい。更に、様々なクロス部材の様々な第１端部は、例えば少なくとも１つの細長い開口部２３２に近接する点で、互いに取り付けられてもよく、又は係合するように構成されてもよい。
【００７８】
１つの非限定的な実施形態では、クロス部材２２６の第１端部２２８及び第２クロス部材２３４の第１端部２３６は、支持ビーム２０６における少なくとも１つの細長い開口部２３２と係合されてもよく、又はこれと可動式に係合されてもよい。１つの非限定的な実施形態では、第１端部２２８は、そこから延びるピン２２９を含んでもよく、同様に第１端部２３６はそこから延びるピン２２９を含んでもよい。ピン２２９は少なくとも１つの細長い開口部２３２と係合されて、クロス部材２２６の第１端部２２８及び第２クロス部材２３４の第１端部２３６が、少なくとも１つの細長い開口部２３２内で、支持ビーム２０６と摺動可能に若しくは可動式に係合されるのを可能にしてもよい。このような係合は、クロス部材２２６及び２３４が、支持ビーム２０６に対して移動するのを可能にし得る。１つの非限定的な実施形態では、第１端部２２８は、支持ビーム２０６の後側から、少なくとも１つの細長い開口部２３２に係合してもよく、第１端部２３６は、支持ビーム２０６の前側から少なくとも１つの細長い開口部２３２に係合してもよい。いずれに場合においても、クロス部材２２６及び第２クロス部材２３４が、付勢部材２２４によって付勢され得るように、付勢部材２２４は、ピン２２９並びに／又は第１端部及び／又は第１端部２３６と操作可能に係合されてもよい。１つの非限定的な実施形態では、付勢部材２２４が、例えば第１端部２２８、第２端部２３６、及び／又はピン２２９の任意の領域に取り付けられるように、第１端部２２８及び第１端部２３６、並びに／又はピン２２９は互いに取り付けられてもよい。よって、クロス部材２２６及び第２クロス部材２３４は、例えば両方とも同時に付勢されてもよい。
【００７９】
１つの非限定的な実施形態では、図１５及び１６を参照して、クロス部材２２６及び第２クロス部材２３４と同様な方式で、第３クロス部材２４０及び第４クロス部材２４６は、少なくとも１つの細長い開口部２３２と係合されてもよく、又はこれと可動式に係合されてもよい。１つの非限定的な実施形態では、しかしながら、別個の細長い開口部２３３が、第３クロス部材２４０の第１端部２４２、第４クロス部材２４６の第１端部２４８、並びに／又は第１端部２４２及び２４８から延びるピン２３１との係合のために提供されてもよい。他の任意の付勢部材（図示せず）が、別個の細長い開口部２３３に向けて供給されてもよく、かつ第３クロス部材２４０の第１端部２４２、第４クロス部材２４６の第１端部２４８、並びに／又は第１端部２４２及び第１端部２４８から延びるピン２３１に係合されてもよい。第３クロス部材２４０及び第４クロス部材２４６は、クロス部材２２６及び第２クロス部材２３４に関して本明細書に記載のものと同一又は同様な方式で付勢されてもよい。１つの非限定的な実施形態では、クロス部材２２６及び／又は第２クロス部材２３４上に作用している付勢部材２２４は、図１５に図示された構成から、例えば図１６に図示された構成まで、第３クロス部材２４０及び第４クロス部材２４０を付勢するのに十分であってもよい。
【００８０】
１つの例示の非限定的な実施形態では、図１５及び１６を参照して、クロス部材２２６及び第２クロス部材２３４は、それぞれ約３５ｃｍ（１４インチ）の長さを有してもよく、その一方で、第３クロス部材２４０及び第４クロス部材２４６はそれぞれ、約３８ｃｍ（１５インチ）の長さを有してもよい。クロス部材２２６及び第２クロス部材２３４は、例えば約６０度〜約９０度の範囲など、直角又は鋭角をそれらの間に形成してもよい。クロス部材２２６と第２クロス部材２３４との間の約６０度の角度Ａ１（図１５を参照）は、布地伸長装置２００が、第１の収縮した構成にある時に形成され得、クロス部材２２６と第２クロス部材２３４との間の約９０度の角度Ａ２（図１６を参照）は、布地伸長装置２００が、第２の拡がった構成にある時に形成され得る。第３クロス部材２４０及び第４クロス部材２４６は、例えば約７０度〜約１８０度の範囲の角度など、それらの間に角度を形成してもよい。第３クロス部材２４０と第４クロス部材２４６との間の約７０度の角度Ａ３（図１５を参照）は、布地伸長装置２００が、第１の収縮した構成にある時に形成され得、第３クロス部材２４０と第４クロス部材２４６との間の約１８０度の角度Ａ４（図１６を参照）は、布地伸長装置２００が、第２の拡がった構成にある時に形成され得る。布地伸長装置２００の構成によって、鈍角を含む他の好適な角度が、クロス部材２２６と、第２クロス部材２３４との間、及び／又は第３クロス部材２４０と、第４クロス部材２４６との間に形成され得るということを、当業者は理解するであろう。
【００８１】
１つの非限定的な実施形態では、解放機構２１８が、係合位置（図１５及び１７を参照）から非係合位置（図１４、１６、及び１８）に移動される時に、クロス部材２２６は、第１布地係合部分２１４を移動させて支持ビーム２０６の第１端部から離間することができ、第２クロス部材２３４は、第２布地係合部分２１６を移動させて、支持ビーム２０６の第２側部から離間することができ、布地伸長装置２００を拡げ、その上に配置された布地片及び／又はシャツ２０２に伸長を付与する。他の実施形態において、クロス部材２２６のみが、第１布地係合部分２１４を移動させて支持ビーム２０６の第１側部から離間させてもよく、一方で第２クロス部材２３４は、第２布地係合部分２１６を支持ビーム２０６に対して移動させなくてもよい。更に他の実施形態では、布地伸長装置２００を拡げ、その上に配置された布地及び／又はシャツ２０２に伸長を付与するために、クロス部材２２６及び第３クロス部材２４０は、第１布地係合部分２１４を移動させて、支持ビーム２０６の第１側部から離間させてもよく、第２クロス部材２３４及び第４クロス部材２４６は、第２布地係合部分２１６を移動させて支持ビーム２０６の第２側部から離間させてもよい。解放機構２１８が非係合の位置にある時に、第１布地係合部分２１４及び第２布地係合部分２１６の間の移動は、付勢部材２２４によって、あるいは他の部材によって達成されてもよいということが理解される。
【００８２】
１つの非限定的な実施形態では、解放機構２１８は提供されなくてもよく、ユーザーは手動で、布地伸長装置２００を第２の拡がった構成から第１の収縮した構成へ移動させて、その上の布地を配置してもよい。かかる実施形態では、付勢部材２２４は通常、布地伸長装置２００を第２の拡がった構成に付勢してもよい。よって、布地伸長装置２００を第１の収縮した構成に移動させ、その上の布地を配置させるために、ユーザーはカラー２０８を吊り部材２０４若しくは２０４’の方に引っ張る必要がある場合がある。いったん布地がその上に配置されると、ユーザーは布地伸長装置２００を第２の拡がった構成に拡がることを可能にし得る。
【００８３】
他の実施形態では、解放機構２１８及び付勢部材２２４は取り除かれてもよく、ユーザーは手動で、布地伸長装置２００を、第１の収縮した構成と第２の拡がった構成との間で移動してもよい。いったんユーザーが布地を、布地伸長装置２００上に配置すると、ユーザーは次いで、吊り部材２０４を保持し、カラー２０８を、吊り部材２０４から離れる方向に押すことによって、布地伸長装置２００を拡げることができ、これによって、布地伸長装置２００がその上に配置された布地に張力を付与する構成に布地伸長装置２００を拡げる。いったん張力が布地に付与されると、ユーザーは、ロック機構を係合し、回転させ、ないしは別の方法でこれを作動させて、張力が布地に付与され得るように、支持ビーム２０６上で好適な位置でカラー２０８を本質的に固定する。いったん張力が好適な時間、布地に付与され、及び／又は布地が例えば、処理され、洗浄され、及び／又はリフレッシュされると、ユーザーはロック機構を非係合にし、カラー２０８を吊り部材２０４に向かう方向に摺動させ、布地を布地伸長装置２００から取り除くことができる。
【００８４】
１つの非限定的な実施形態では、更に図１４〜１８を参照して、カラー２０８は、第１突部２１０と第２突部２１２の少なくとも部分的に中間に配置された開口部を画定してもよく、これによって、少なくとも解放機構２１８が第１布地係合部分２１４及び／又は第２布地係合部分２１６（すなわち非係合位置）と接触しない時に、支持ビーム２０６は、この開口部内のカラー２０８と摺動可能に若しくは可動式に係合され得る。図１５及び１７で図示されるように、布地伸長装置２００が第１の収縮した位置にある時に、カラー２０８は、吊り部材２０４若しくは２０４’と向けて、又はこれに当接して配置されてもよい。この位置において、第１布地係合部分２１４及び第２布地係合部分２１６を備える解放機構２１８の一部分の係合によって、カラー２０８は、支持ビーム２０６に対して摺動しなくてもよい。図１６及び１８に図示されるように、解放機構２１８が非係合位置にある時に、カラー２０８は支持ビーム２０６に対して摺動してもよく、又はこれに対して移動してもよい。よって、支持ビーム２０６の一部分は、カラー２０８を通じて延び、布地伸長装置２００が、第２の拡がった構成に拡がるのを可能にし得る。
【００８５】
１つの非限定的な実施形態では、図１９及び２０を参照して、布地ハンガー３００は、カラー３０２に画定された端部及び開口部を含むカラー３０２を含んでもよい。布地ハンガー３００は、その上の布地を支持するように、又はその上に布地を支持するように構成されたクロス支持部３０４を含んでもよい。第１アーム３０６は、カラー３０２から第１方向に延びてもよく、第２アーム３０８は、第２方向でカラー３０２から延びてもよい。第１アーム３０６及び第２アーム３０８は、その上の少なくとも１つの布地を支持するように構成されてもよい。布地ハンガー３００は、カラー３０２の開口部内でカラー３０２と摺動可能に係合された第１吊り部材３１０と、カラー３０２の端部から延びる別個の第２吊り部材３１２を含んでもよい。第１吊り部材３１０は、第１の格納した位置（例えば図１９を参照）と、第２の延びた位置（例えば図２０を参照）との間で、矢印「Ｚ」によって一般的に示される方向において、カラー３０２に対して可動であってもよい。
【００８６】
１つの非限定的な実施形態では、第１吊り部材３１０は、例えばクローゼット若しくは布地処理システムで、さお、ロッド、又は他の支持部の上で布地ハンガー３００を吊るすために使用されてもよい。様々な実施形態では、第２吊り部材３１２が使用されて、例えば布地処理システム１０など、布地処理システム内で布地ハンガー３００を吊るしてもよい。１つの非限定的な実施形態では、布地ハンガー３００上に配置された布地（図示せず）が、布地処理システムによって処理される前及び／又はその後に、かつ第２吊り部材３１２が、例えば布地処理システム内の布地ハンガー３００を吊るす又は吊り下げるのに使用されてもよく、第１吊り部材３１０は、クローゼットで布地ハンガーを吊るす、又は伸ばすために使用されてもよい。よって、布地ハンガー３００は、布地処理システムの内部又は外部で使用されてもよく、したがって布地ハンガー３００の複数の使用を提供する。
【００８７】
例えばシャツなど布地が布地ハンガー３００上に配置され、第２の延びた位置に、第１吊り部材３１０を使用して、クローゼットにロッドから吊るされた場合、ユーザーは、布地ハンガー３００を拾いあげて、第２の延びた位置（図２０）から、第１の格納した位置（図１９）に第１吊り部材３１０を移動させてもよい。ユーザーは、次いで布地ハンガー３００と、その上に配置されたシャツを、布地処理システム内に、処理（例、洗浄、リフレッシュ、及び／又はしわ取り）のために配置することができる。第２布地ハンガー３１２は、布地ハンガー３００を、例えば布地処理システムの、上記の支持部材２６などの支持部材と係合するために使用されてもよい。
【００８８】
１つの非限定的な実施形態では、更に図１９及び２０を参照して、第１スライド３１４は、第１アーム３０６上に配置されてもよく、及び／又はこれと操作可能に係合されてもよい。第１スライド３１４は、少なくとも第１の位置と、第２の延びた位置との間で、第１アーム３０６を中心に、矢印「Ｙ」によって一般的に表示される方向で移動可能であってもよい。第１スライド３１４は、図１９及び２０で第２の延びた位置で示されており、その一方で、第２アーム３０８上に配置された、及び／又はこれと操作可能に係合された第２スライド３１６は、第１の位置で示されている。当業者は、第１スライド３１４及び／又は第２スライド３１６がまた、第１の位置と、第２の延びた位置との間の任意の好適な中間位置に移動されてもよいということを理解するであろう。第１スライド３１４及び第２スライド３１６の移動は、ユーザーが、第１の位置から、第２の延びた位置へ布地ハンガー３００を拡げるのを可能にし、第１スライド３１４及び第２スライド３１６の少なくとも１つは、第１アーム３０６及び第２アーム３０８の１つから少なくとも部分的に延びる。第１スライド３１４及び／又は第２スライド３１６のこのような動きは、例えばシャツなどの布地が、少なくともシャツの肩部分内で、布地ハンガー３００上で伸長される及び／又は拡げられるのを可能にする。
【００８９】
１つの非限定的な実施形態では、第１スライド３１４及び第２スライド３１６は、第１アーム３０６及び第２アーム３０８を中心に手動で移動されてもよい。手動で動かす場合、第１スライド３１４及び第２スライド３１６は、第１アーム３０６及び第２アーム３０８にスナップ嵌め、圧力嵌め、及び／又は密接にフィットされてもよく、これによってユーザーは、アームを中心にスライドを動かすことができる及び／又はスライドをアームから取り外し、アーム上の好適な場所にスライドを配置することができる。他の実施形態において、スライドは、アームの頂面を係合するように構成されたスライドの一部分から延びる、少なくとも１つの突部又は少なくとも１つのフックを有してもよい。スライドの少なくとも１つの突部又は少なくとも１つのフックを受容するように構成された場所で、アームは又は一連の凹部、戻り止め、又は他の好適な機構を有してもよい。少なくとも１つの突部又は少なくとも１つのフックは、例えば、スライドをアームに取り付けるために、少なくとも１つの凹部若しくは戻り止めと係合されてもよい。
【００９０】
よって、ユーザーはアームを中心にして、スライドを任意の好適な場所に移動させることができ、これによって布地ハンガー３００が拡げられて、例えばシャツ又は他の布地の肩部分を支持することができる。
【００９１】
他の実施形態では、第１スライド３１４及び第２スライド３１６は、スライドを第１アーム３０６及び第２アーム３０８を中心に移動させるように構成された調整機構（図示せず）と操作可能に係合されてもよい。１つの非限定的な実施形態では、調整機構は、少なくとも１つのラックと操作可能に係合したギア（例えば、ピニオンなど）を含んでもよい。１つの非限定的な実施形態では、ハンドル３１８が回転されると、ギアもまた回転できるように、回転可能なハンドル３１８は、ギアと操作可能に係合されてもよい。１つの非限定的な実施形態では、調整機構は、第１スライド３１４及び第２スライド３１６のそれぞれに提供されてもよい。いずれの場合においても、調整機構は、いくつかの実施形態において、ハンドル３１８の回転運動変換することができることによって、ラックの歯と噛合して係合されたギアの歯によって、ギアをラックのリニア運動に変換することができる。
【００９２】
１つの非限定的な実施形態では、ラック（又は複数）は、第１アーム３０６と第２アーム３０８において画定されたチャネル内に配置されてもよい。ラックは、スライドと操作可能に係合されてもよく、これによって、ユーザーはギアと操作可能に係合したハンドル３１８を回転させ、ラックは、アームを中心にリニア方向で、移動することができ、これによってアームを中心にスライドを移動させる。ハンドル３１８は好適な把持面を含んでもよい。調整機構のハンドル３１８は、例えばカラー３０２上に配置されてもよい。上記のとおり、ユーザーが第１ハンドルを回転させる又は移動させて、第１アーム３０６内のラックを移動させることができるように、かつ第２ハンドルを回転させる又は移動させて、第２アーム３０８内のラックを移動させることができるように、２つの調整機構が提供されてもよい。結果として、ユーザーは、第１ハンドルを回転させることによって第１スライド３１４を移動させることができ、例えば第２ハンドルを回転させることによって、第２スライド３１６を移動させることができる。他の実施形態において、他の好適な機械的部材又は組立品が使用されて、第１アーム３０６を中心に第１スライド３１４を、及び／又は第２アーム３０８を中心に第２スライド３１６を移動させてもよい。
【００９３】
様々な実施形態では、本開示の布地処理システム及び／又は布地伸長システムと併せて、任意のキット若しくはスターターキットが使用されてもよい。１つの非限定的な実施形態では、図２１を参照して、スターターキット４００は、１つ以上の第１布地ハンガー４０２と、１つ以上の第２布地ハンガー４０４と、取扱説明書４０６と、布地処理溶液４０８の１つ以上の容器と、コンパクトディスク若しくはＤＶＤ  ４１０と、１つ以上のポケットテンショナー４１２、及び／又は布地に取り付けられて布地を伸長するように構成された、１つ以上の重り（図示せず）と、を含んでもよい。布地処理システムを購入するユーザーは、スターターキット４００を別個に購入してもよく、又はスターターキット４００は布地処理システムの購入によってユーザーに提供されてもよい。以下に更に詳細に記載されているように、スターターキット４００は、一部の場合において、ユーザーに、布地処理システム及び／又は布地伸長システムと共に使用するためのアクセサリを提供してもよく、またユーザーに、布地処理システム、布地伸長システム、及び／又はシステムの様々な構成要素に関する取扱説明書を提供してもよい。
【００９４】
１つの非限定的な実施形態では、図２１を参照して、１つ以上の第１布地ハンガー４０２は、本明細書で記載されている布地ハンガー３００と類似であっても、又はこれと同様であってもよい。よって、１つ以上の第１布地ハンガー４０２は、簡潔さのために本明細書では再び記載されない。１つの非限定的な実施形態では、１つ以上の第２布地ハンガー４０４は、布地ハンガー３００と類似であってもよいが、第１スライド３１４及び第２スライド３１６は例えば排除されてもよい。１つ以上の第２布地ハンガー４０４は、軽量の衣類又は布地、例えばブラウス若しくはドレスシャツなどをリフレッシュするために使用されてもよい。勿論、任意の他の布地ハンガー及び／又は布地伸長装置が、第１布地ハンガー４０２及び第２布地ハンガー４０４に加えて、又はその代わりのいずれかで、スターターキット４００と共に提供されてもよい。
【００９５】
上記のとおり、１つの非限定的な実施形態では、スターターキット４００は、取扱説明書４０６、並びに／又はコンパクトディスク及び／若しくはＤＶＤ  ４１０を含んでもよい。取扱説明書４０６、並びに／又はコンパクトディスク若しくはＤＶＤ  ４１０は、本明細書に記載の布地処理システム、布地伸長システム、布地伸長装置、及び／又は様々な布地ハンガーの操作及び使用に関する詳細を提供することができる。他の実施形態において、取扱説明書４０６及び／又はコンパクトディスク若しくはＤＶＤ  ４１０は、システムの他の構成要素及び本開示の装置のいずれかに関する詳細を提供することができる。更に他の実施形態では、取扱説明書４０６及び／又はコンパクトディスク若しくはＤＶＤ  ４１０は、例えば保証情報及び／又は販促物、及び／又は、ユーザーに役立つ他の好適な情報若しくは材料を含んでもよい。１つの非限定的な実施形態では、コンパクトディスク若しくはＤＶＤ  ４１０は、コンピュータ若しくはＤＶＤプレーヤーで再生可能なビデオ説明を提供してもよく、これによって、ユーザーは、例えば、布地処理システム、布地伸長システム、布地処理装置、及び／又は例えば様々な布地ハンガーの使用及び動作に関して、視覚的に指示されてもよい。
【００９６】
１つの非限定的な実施形態では、図２１及び２２を参照して、スターターキット４００の１つ以上のポケットテンショナー４１２は、例えばシャツ４１６若しくはズボンなどの衣類のポケット４１４内に挿入されて、伸長し、ポケット４１４内のしわを取り除く、又は少なくとも低減するように構成される。様々な実施形態では、それぞれのポケットテンショナー４１２は、第１側部４１８及び第２側部４２０を含んでもよい。第１側部４１８及び第２側部４２０は、互いの方へ可動であってもよいが、ポケットテンショナー４１２は、図２１に示される構成に通常付勢されてもよい。他の実施形態において、第１側部４１８は、第２側部４２０の方に付勢されてもよく、あるいは第２側部４２０は、例えば第１側部４１８の方に付勢されてもよい。１つの非限定的な実施形態では、第１側部４１８は、第１側部４１８が、第２側部４２０から第１距離である第１位置と、第１側部４１８が第２側部４２０から第２距離である第２位置との間で可動であり得る。第１距離は、第２距離よりも大きいか、又はこれと異なってもよい。様々な実施形態では、ポケットテンショナー４１２は、第１位置内へ通常付勢され得る。
【００９７】
１つの非限定的な実施形態では、図２２を参照して、ポケットテンショナー４１２がシャツ４１６のポケット４１４内に挿入される前又はこの時に、第１側部４１８は圧縮されるか、又は第２側部４２０の方に動かされて、例えばポケットテンショナー４１２の横方向の幅を低減し、ポケットテンショナー４１２の部分がポケット４１４にフィットするのを可能にしてもよい。一旦、ポケットテンショナー４１２の一部分がポケット４１４内に配置されると、それは、その通常付勢された位置まで拡がり、ポケット４１４を伸長することができる。１つの非限定的な実施形態では、第１側部４１８及び第２側部４２０は、第１端部４２２で互いに取り付けられて、第２端部４２４で互いへの取り付けがなくてもよい。様々な実施形態では、第２端部４２４に近接する又は第２端部４２４で、第１側部４１８及び第２側部４２０の一部分は所望により弓状部分４２６を含んでもよい。第１側部４１８上の弓状部分４２６は、第１側部４１８から第２側部４２０の方に延びてもよく、同様に、第２側部４２０上の弓状部分４２６は、第２側部４２０から第１側部４１８の方に延びることができる。ポケットテンショナー４１２が、ポケット４１４に挿入される時に、及び／又はポケット４１４から取り除かれる時に、ポケットテンショナー４１２の第２端部４２４上の弓状部分４２６は、第２端部４２４に近接するポケットテンショナー４１２の一部分が、シャツ４１６のポケット４１４の内側部分ともつれるのを、又はこれに絡まるのを防ぐ、低減する、又は少なくとも防止することができる。特定の実施形態では、弓状部分４２６は、第１側部４１８の第２端部４２４上及び第２側部４２０上に、少なくとも部分的にループを形成してもよい。
【００９８】
１つの非限定的な実施形態では、ポケットテンショナー４１２の付勢は、ポケットテンショナー４１２の構成及びポケットテンショナー４１２を少なくとも部分的に含む材料の弾力性によって生じてもよい。１つの非限定的な実施形態では、ポケットテンショナー４１２は弾性材料、例えば金属若しくは塑性体などから構成されてもよい。勿論、当業者は、他の好適な材料もまた、ポケットテンショナー４１２を形成するのに使用されてもよいということを理解するであろう。様々な実施形態では、ポケットテンショナー４１２の第１部分は、弾性材料で構成されてもよく、ポケットテンショナー４１２の第２部分は、例えば、硬質若しくは半硬質材料から構成されてもよい。１つの非限定的な実施形態では、ポケットテンショナー４１２は布地処理システムの環境内での劣化反応に耐え得る材料から構成されてもよい。様々な実施形態では、ポケットテンショナー４１２は、布地処理装置、布地処理システム、及び／又は布地伸長システムとは独立して使用されてもよい。１つの非限定的な実施形態では、シャツがクローゼットで吊るされている間に、例えば保管中にポケットを伸長した状態に維持するために、ポケットテンショナー４１２が使用されてもよい。
【００９９】
１つの非限定的な実施形態では、図２１及び２３を参照してスターターキット４００の容器４０８は、本明細書に記載の布地処理システム内に配置された布地を処理するために使用されるように構成された布地処理溶液を含んでもよい。１つの非限定的な実施形態では、図２３を参照して、布地処理システム１１０の修正されたバージョンと共に使用され得る、例示の布地処理システム溶液引き出し５００が図示されている。布地処理システム溶液引き出し５００は、容器４０８内から布地処理溶液の抽出を可能にし得る、例えば、ポンプ及び流体抽出管などの構成要素を有するハウジング５０２内へ、かつこれの外へ移動させることができる。一旦、布地処理溶液が、布地処理システム溶液引き出し５００内の容器４０８から抽出されると、布地処理システムは、布地処理システムの少なくとも１つの分配ヘッド（例えば、布地処理システム１１０の分配ヘッド１５０など）に布地処理溶液を提供してもよく、これによって布地処理溶液は、布地処理システム内で、布地上に噴霧され得る。１つの非限定的な実施形態では、容器４０８は、布地処理システム溶液引き出し５００内に挿入され、次いで液体抽出管（例えば、針など）によって穿刺されてもよく、布地処理溶液が容器４０８から抽出され、布地処理システムによって使用されるのを可能する。布地処理溶液の少なくともほとんどが容器４０８から抽出された後、容器４０８は詰め替え可能又は交換可能であってもよい。勿論、他のスターターキットは、上記のリザーバ１７２と同様な又は同一なリザーバを含んでもよい。更に他の実施形態では、布地処理溶液を含む他の好適な容器又はリザーバが、スターターキットと共に提供されてもよい。
【０１００】
スターターキットの非限定的な例が本明細書で記載されているが、当業者は、他のアクセサリ、材料、デバイス、及び／又は情報が、スターターキット内に提供されもよいということを理解するであろう。更に、任意の数のアクセサリ、材料、デバイス、及び／又は複数の情報がスターターキットと共に提供されてもよい。例えば、１つの非限定的な実施形態では、スターターキットは、例えば５つのハンガーと、布地処理溶液の３つの容器と、４つのポケットテンショナーと、を上記のスターターキット４００の構成要素に加えて、又はこれの代わりに含んでもよい。特定の実施形態では、スターターキットは、例えばバンド、コード、クリップ、クランプを更に含んでもよく、これは布地処理システム内の布地を伸長するのに使用され得る。
【０１０１】
１つの非限定的な実施形態では、布地を処理する方法は、本明細書に記載の布地処理システムの布地受容スペース内に布地を配置する工程と、布地の少なくとも一部分上に布地処理組成物を堆積させる工程と、加熱素子を作動させる工程と、布地処理システムを通気させる工程と、を含んでもよい。１つの非限定的な実施形態では、布地処理組成物を堆積させる工程は、例えばスプレー、蒸発、又は霧吹きなどによって、布地処理組成物を布地の上に分配することを含んでもよい。１つの非限定的な実施形態では、加熱素子を作動させる工程は、布地処理システム内の空気を、例えば少なくとも約８０度まで、あるいは少なくとも約７０度まで、あるいは少なくとも約５０度まで加熱するステップを含んでもよい。別の実施形態では、布地を処理する方法は、例えば約１５分以内、あるいは約１０分以内、あるいは約８分以内に完了する。
【０１０２】
１つの非限定的な実施形態では、布地処理内で布地を伸長する方法は、その上に布地を有する布地ハンガーを支持部材に取り付ける工程と、布地処理システムの第１布地把持具を布地の一部分に取り付ける工程と、布地を、支持部材と第１布地把持具の中間で少なくとも部分的に伸長する工程と、を含んでもよい。
【０１０３】
１つ非限定的な実施形態では、布地を伸長する方法は、布地伸長装置を提供する工程と、この布地伸長装置上に布地を配置する工程と、第１の収縮した構成から第２の拡がった構成まで布地を伸長する工程と、を含んでもよい。
【０１０４】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示された寸法は、「約４０ｍｍ」を意味することを意図する。
【０１０５】
「発明を実施するための形態」の中で引用された全ての文献は、関連部分において、本明細書に参考として組み込まれる。いかなる文献の引用も、それが本開示に関する先行技術であることを承認するものとして解釈されるべきでない。本開示における用語の任意の意味又は定義が、参照として組み込まれた文書における用語の人の意味又は定義と相反する限り、本開示における用語に指定された意味又は定義に準拠するものとする。
【０１０６】
本開示の非限定的な実施形態について説明し記載したが、本開示の趣旨及び範囲から逸脱することなく他の様々な変更及び修正が可能であることを当業者は理解するであろう。したがって、本開示の範囲内にある、そのような変更及び修正の全てを添付の「特許請求の範囲」で扱うものとする。
【図１】
0005426015.tif 000002
【図２】
0005426015.tif 000003
【図３】
0005426015.tif 000004
【図４】
0005426015.tif 000005
【図５】
0005426015.tif 000006
【図６】
0005426015.tif 000007
【図７】
0005426015.tif 000008
【図８】
0005426015.tif 000009
【図９】
0005426015.tif 000010
【図１０】
0005426015.tif 000011
【図１１】
0005426015.tif 000012
【図１２】
0005426015.tif 000013
【図１３】
0005426015.tif 000014
【図１４】
0005426015.tif 000015
【図１５】
0005426015.tif 000016
【図１６】
0005426015.tif 000017
【図１７】
0005426015.tif 000018
【図１８】
0005426015.tif 000019
【図１９】
0005426015.tif 000020
【図２０】
0005426015.tif 000021
【図２１】
0005426015.tif 000022
【図２２】
0005426015.tif 000023
【図２３】
0005426015.tif 000024
【図２４】
0005426015.tif 000025